(57)【要約】【課題】本発明はコミュニケーションデバイスを提供する。【解決手段】コミュニケーションデバイス（５００’）は、同相（Ｉ）変調器および混合器回路（５０３’〜５０６ａ’）、ならびにそこへ連結されたＩパワー増幅器（５１２ａ’）を有する同相回路と、直交位相（Ｑ）変調器および混合器回路（５０３’〜５０６ｂ’）、ならびにそこへ連結されたＱパワー増幅器回路（５１２ｂ’）を有する直交位相回路とを含み得る。Ｉ回路は、デジタルベースバンドＩ信号（６０１ａ’〜６０１ｂ’）を変調および増幅することにより、増幅されたＩ信号を生成するように構成されている。Ｑ回路は、デジタルベースバンドＱ信号（６０１ｃ’〜６０１ｄ’）を変調および増幅することにより、増幅されたＩ信号とは別個に増幅されたＱ信号を生成するように構成されている。【選択図】図１
2011229148.tif 000002
【特許請求の範囲】
【請求項１】
コミュニケーションデバイス（５００’）であって、該コミュニケーションデバイス（５００’）は、
同相（Ｉ）回路であって、該Ｉ回路は、同相変調器および混合器回路（５０３’〜５０６ａ’）、およびそこへ連結されたＩパワー増幅器（５１２ａ’）回路を含み、該Ｉ回路は、デジタルベースバンドＩ信号（６０１ａ’〜６０１ｂ’）を変調および増幅することにより、増幅されたＩ信号を生成するように構成されている、同相（Ｉ）回路と、
直交位相（Ｑ）回路であって、該Ｑ回路は、Ｑ変調器および混合器回路（５０３’〜５０６ｂ’）、およびそこへ連結されたＱパワー増幅器回路（５１２ｂ’）を含み、該Ｑ回路は、デジタルベースバンドＱ信号（６０１ｃ’〜６０１ｄ’）を変調および増幅することにより、該増幅されたＩ信号と別個に増幅されたＱ信号を生成するように構成されている、直交位相（Ｑ）回路と、
該別個に増幅されたＩ信号およびＱ信号を合算し、結合されたＩおよびＱ信号を出力するように構成されたパワー結合器（５２０’）と、
該Ｉパワー増幅器回路からのフィードバック信号を復調し、復調されたＩ信号を発生させるように構成されたＩ復調器回路（５７０ａ’）と、
該Ｑパワー増幅器回路からのフィードバック信号を復調し、復調されたＱ信号を発生させるように構成されたＱ復調器回路（５７０ｂ’）と、
該デジタルベースバンドＩ信号および該デジタルベースバンドＱ信号を該復調されたＩ信号および該復調されたＱ信号と比較することにより、エラーを補正するように構成されたプロセッサ（５３０’）と、
該Ｉ回路、該Ｑ回路にそれぞれ連結されたＩ信号入力、Ｑ信号入力であって、該結合されたＩおよびＱ信号から孤立したＩ信号入力、Ｑ信号入力と
を含み、
該プロセッサは、複数の位相シフター（６０２ａ’、６０２ｂ’）を含み、該複数の位相シフターと該Ｉ信号入力および該Ｑ信号入力との間で該デジタルベースバンドＩ信号および該デジタルベースバンドＱ信号を選択的に切り替えることにより、該デジタルベースバンドＩ信号および該デジタルベースバンドＱ信号のうちの少なくとも一方に対する選択的位相シフトを提供するよう構成されている、コミュニケーションデバイス（５００’）。
【請求項２】
請求項１に記載のコミュニケーションデバイス（５００’）であって、前記プロセッサ（５３０’）は、前記Ｉ回路および前記Ｑ回路にフィードされた前記デジタルベースバンドＩ信号および前記デジタルベースバンドＱ信号（６０１ａ’〜６０１ｂ’および６０１ｃ’〜６０１ｄ’）をプレディストーションすることにより、振幅、周波数および位相変調エラーを補正するように構成されている、コミュニケーションデバイス（５００’）。
【請求項３】
請求項１に記載のコミュニケーションデバイス（５００’）であって、前記Ｉ変調器および混合器回路（５０３’〜５０６ａ’）は、Ｉ＿Ｉ入力信号およびＩ＿Ｑ入力信号を処理することにより、前記Ｉパワー増幅器（５１２ａ’）回路に対してＩ信号を発生させるように構成されていて、前記Ｑ変調器および混合器回路（５０３’〜５０６ｂ’）は、Ｑ＿Ｉ入力信号およびＱ＿Ｑ入力信号を処理することにより、前記Ｑパワー増幅器回路に対してＱ信号を発生させるように構成されている、コミュニケーションデバイス（５００’）。
【請求項４】
請求項３に記載のコミュニケーションデバイス（５００’）であって、前記Ｉ変調器および混合器回路（５０３’〜５０６ａ’）は、
Ｉ＿Ｉ混合器（５０４ａ’）、Ｉ＿Ｑ混合器（５０４ｂ’）であって、各混合器は、それぞれＩ＿Ｉ信号、Ｉ＿Ｑ信号を処理するように構成されている、Ｉ＿Ｉ混合器（５０４ａ’）、Ｉ＿Ｑ混合器（５０４ｂ’）と、
該Ｉ＿Ｉ混合器および該Ｉ＿Ｑ混合器に関連付けられ、９０度位相シフトするように構成されている周波数ディバイダー（５０５ａ’）回路と、
該Ｉ＿Ｉ混合器および該Ｉ＿Ｑ混合器から信号を受信し、前記Ｉ信号を発生させるように構成されているＩ合算器（５０６ａ’）と
を含み、
前記Ｑ変調器および混合器回路（５０３’〜５０６ｂ’）は、
Ｑ＿Ｉ混合器（５０４ｃ’）、Ｑ＿Ｑ混合器（５０４ａ’）であって、各混合器は、それぞれＱ＿Ｉ信号、Ｑ＿Ｑ信号を処理するように構成されている、Ｑ＿Ｉ混合器（５０４ｃ’）、Ｑ＿Ｑ混合器（５０４ａ’）と、
該Ｑ＿Ｉ混合器および該Ｑ＿Ｑ混合器に関連付けられ、９０度位相シフトするように構成されている周波数ディバイダー回路（５０５ｂ’）と、
該Ｑ＿Ｉ混合器および該Ｑ＿Ｑ混合器から信号を受信し、前記Ｑ信号を発生させるように構成されているＱ合算器（５０６ｂ’）と
を含む、コミュニケーションデバイス（５００’）。
【請求項５】
請求項１に記載のコミュニケーションデバイス（５００’）であって、前記プロセッサ（５３０’）は、前記パワー増幅器回路（５１２ａ’および５１２ｂ’）の各々を制御することと、各パワー増幅器回路におけるそれぞれのバイアスを制御することと、それぞれの前記Ｉ信号または前記Ｑ信号の振幅を調節することとのために、制御信号を出力するように構成されている、コミュニケーションデバイス（５００’）。
【請求項６】
請求項１に記載のコミュニケーションデバイス（５００’）であって、前記ＩおよびＱ復調器回路（５７０ａ’および５７０ｂ’）の各々は、混合器（５０４ａ’〜５０４ｄ’）および９０度位相シフトに対してそこに関連付けられた周波数ディバイダー（５０５ａ’〜５０５ｂ’）を含む、コミュニケーションデバイス（５００’）。
【請求項７】
請求項１に記載のコミュニケーションデバイス（５００’）であって、該コミュニケーションデバイス（５００’）は、前記プロセッサ（５３０’）に接続されたＩ／Ｑ復調器回路（５６０ａ’〜５６０ｃ’、５７２ａ’〜５７２ｆ’、５７４ａ’〜５７４ｃ’、５７６ａ’〜５７６ｅ’、５７８ａ’〜５７８ｅ’、５９０’、５８８’）であって、前記パワー結合器（５２０’）の出力からの信号を処理することにより、振幅、周波数および位相変調エラーを決定するのを助けるように構成されているＩ／Ｑ復調器回路（５６０ａ’〜５６０ｃ’、５７２ａ’〜５７２ｆ’、５７４ａ’〜５７４ｃ’、５７６ａ’〜５７６ｅ’、５７８ａ’〜５７８ｅ’、５９０’、５８８’）をさらに含む、コミュニケーションデバイス（５００’）。
【請求項８】
請求項１に記載のコミュニケーションデバイス（５００’）であって、該コミュニケーションデバイス（５００’）は、前記プロセッサ（５３０’）に接続されたパワー検知器（５５６’）であって、前記パワー結合器（５２０’）の出力からの信号を処理し、振幅エラーを補正するために、オリジナルのパワーと比較される信号を出力するように構成されているパワー検知器（５５６’）をさらに含む、コミュニケーションデバイス（５００’）。
【請求項９】
コミュニケーションデバイス（５００’）を作動させる方法であって、該方法は、
同相（Ｉ）回路を提供することであって、該Ｉ回路は、同相変調器および混合器回路（５０３’〜５０６ａ’）と、そこへ連結されたＩパワー増幅器（５１２ａ’）回路とを含み、該Ｉ回路は、デジタルベースバンドＩ信号（６０１ａ’〜６０１ｂ’）を変調および増幅することにより、増幅されたＩ信号を生成する、ことと、
直交位相（Ｑ）回路を提供することであって、該Ｑ回路は、Ｑ変調器および混合器回路（５０３’〜５０６ｂ’）と、そこへ連結されたＱパワー増幅器回路（５１２ｂ’）とを含み、該Ｑ回路は、デジタルベースバンドＱ信号（６０１ｃ’〜６０１ｄ’）を変調および増幅することにより、該増幅されたＩ信号と別個に増幅されたＱ信号を生成する、ことと、
パワー結合器（５２０’）を用いて、該別個に増幅されたＩ信号およびＱ信号を合算し、結合されたＩおよびＱ信号を出力することと、
Ｉ復調器回路（５７０ａ’）を用いて、該Ｉパワー増幅器回路からのフィードバック信号を復調し、復調されたＩ信号を発生させることと、
Ｑ復調器回路（５７０ｂ’）を用いて、該Ｑパワー増幅器回路からのフィードバック信号を復調し、復調されたＱ信号を発生させることと、
プロセッサ（５３０’）を用いて、該デジタルベースバンドＩ信号および該デジタルベースバンドＱ信号を該復調されたＩ信号および該復調されたＱ信号と比較することにより、エラーを補正することと、
該Ｉ回路、該Ｑ回路にそれぞれ連結されたＩ信号入力、Ｑ信号入力を該結合されたＩおよびＱ信号から孤立させることと、
複数の位相シフター（６０２ａ’、６０２ｂ’）を含む該プロセッサを用いて該デジタルベースバンドＩ信号および該デジタルベースバンドＱ信号を該複数の位相シフターと該Ｉ信号入力および該Ｑ信号入力との間で選択的に切り替えることにより、該デジタルベースバンドＩ信号および該デジタルベースバンドＱ信号のうちの少なくとも一方に対して選択的位相シフトを提供することと
を含む、方法。
【請求項１０】
請求項９に記載の方法であって、該方法は、前記プロセッサ（５３０’）を用いて、前記Ｉ回路および前記Ｑ回路へフィードされた前記デジタルベースバンドＩ信号および前記デジタルベースバンドＱ信号をプレディストーションすることにより、振幅、周波数および位相変調エラーを補正することをさらに含む、方法。
【請求項１１】
請求項９に記載の方法であって、該方法は、
前記Ｉ変調器および混合器回路（５０３’〜５０６ａ’）を用いて、Ｉ＿ＩおよびＩ＿Ｑ入力信号を処理することにより、前記Ｉパワー増幅器（５１２ａ’）回路に対してＩ信号を発生させることと、
前記Ｑ変調器および混合器回路（５０３’〜５０６ｂ’）を用いて、Ｑ＿ＩおよびＱ＿Ｑ入力信号を処理することにより、前記Ｑパワー増幅器回路（５１２ｂ’）に対してＱ信号を発生させることと
をさらに含む、方法。
【請求項１２】
コミュニケーションデバイス（５００’’’）であって、該コミュニケーションデバイス（５００’’’）は、
同相（Ｉ）回路であって、該Ｉ回路は、同相変調器および混合器回路（５０３’’’〜５０６ａ’’’）、およびそこへ連結されたＩパワー増幅器（５１２ａ’’’）回路を含み、該Ｉ回路は、デジタルベースバンドＩ信号（６０１ａ’’’〜６０１ｂ’’’）を変調および増幅することにより、増幅されたＩ信号を生成するように構成されている、同相（Ｉ）回路と、
直交位相（Ｑ）回路であって、該Ｑ回路は、Ｑ変調器および混合器回路（５０３’’’〜５０６ｂ’’’）、およびそこへ連結されたＱパワー増幅器回路（５１２ｂ’’’）を含み、該Ｑ回路は、デジタルベースバンドＱ信号（６０１ｃ’’’〜６０１ｄ’’’）を変調および増幅することにより、該増幅されたＩ信号と別個に増幅されたＱ信号を生成するように構成されている、直交位相（Ｑ）回路と、
該別個に増幅されたＩ信号およびＱ信号を合算し、結合されたＩおよびＱ信号を出力するように構成されているパワー結合器（５２０’’’）と、
該Ｉパワー増幅器回路からのフィードバック信号を復調し、復調されたＩ信号を発生させるように構成されているＩ復調器回路（５７０ａ’’’）と、
該Ｑパワー増幅器回路からのフィードバック信号を復調し、復調されたＱ信号を発生させるように構成されているＱ復調器回路（５７０ｂ’’’）と、
該Ｉ回路、該Ｑ回路にそれぞれ連結されたＩ信号入力、Ｑ信号入力であって、該結合されたＩおよびＱ信号から孤立しているＩ信号入力、Ｑ信号入力と、
プロセッサ（５３０’’’）であって、該プロセッサ（５３０’’’）は、
該デジタルベースバンドＩ信号および該デジタルベースバンドＱ信号を該復調されたＩ信号および該復調されたＱ信号と比較することにより、エラーを補正することと、
該デジタルベースバンドＩ信号および該デジタルベースバンドＱ信号のうちの少なくとも一方を選択的に位相シフトすることと、
該Ｉパワー増幅器回路および該Ｑパワー増幅器回路のうちの少なくとも一方を制御することにより、該増幅されたＩ信号および該増幅されたＱ信号のうちの少なくとも一方の振幅を変えることと、
を実行するように構成されている、プロセッサ（５３０’’’）と
を含む、コミュニケーションデバイス（５００’’’）。
【請求項１３】
請求項１２に記載のコミュニケーションデバイス（５００’’’）であって、前記プロセッサ（５３０’’’）は、前記Ｉ回路および前記Ｑ回路にフィードされた前記デジタルベースバンドＩ信号および前記デジタルベースバンドＱ信号（６０１ａ’’’〜６０１ｂ’’’および６０１ｃ’’’〜６０１ｄ’’’）をプレディストーションすることにより、振幅、周波数および位相変調エラーを補正するように構成されている、コミュニケーションデバイス（５００’’’）。
【請求項１４】
コミュニケーションデバイス（５００’’’）を作動させる方法であって、該方法は、
同相（Ｉ）回路を提供することであって、該Ｉ回路は、同相変調器および混合器回路（５０３’’’〜５０６ａ’’’）と、そこへ連結されたＩパワー増幅器（５１２ａ’’’）回路を含み、該Ｉ回路は、デジタルベースバンドＩ信号（６０１ａ’’’〜６０１ｂ’’’）を変調および増幅することにより、増幅されたＩ信号を生成する、ことと、
直交位相（Ｑ）回路を提供することであって、該Ｑ回路は、Ｑ変調器および混合器回路（５０３’’’〜５０６ｂ’’’）と、そこへ連結されたＱパワー増幅器回路（５１２ｂ’’’）を含み、該Ｑ回路は、デジタルベースバンドＱ信号（６０１ｃ’’’〜６０１ｄ’’’）を変調および増幅することにより、該増幅されたＩ信号と別個に増幅されたＱ信号を生成する、ことと、
パワー結合器（５２０’’’）を用いて、該別個に増幅されたＩ信号およびＱ信号を合算し、結合されたＩおよびＱ信号を出力することと、
Ｉ復調器回路（５７０ａ’’’）を用いて、該Ｉパワー増幅器回路からのフィードバック信号を復調し、復調されたＩ信号を発生させることと、
Ｑ復調器回路（５７０ｂ’’’）を用いて、該Ｑパワー増幅器回路からのフィードバック信号を復調し、復調されたＱ信号を発生させることと、
該Ｉ回路、該Ｑ回路にそれぞれ連結されたＩ信号入力、Ｑ信号入力を該結合されたＩおよびＱ信号から孤立させることと、
該デジタルベースバンドＩ信号および該デジタルベースバンドＱ信号を該復調されたＩ信号および該復調されたＱ信号と比較することにより、エラーを補正することと、
該デジタルベースバンドＩ信号および該デジタルベースバンドＱ信号のうちの少なくとも一方を選択的に位相シフトすることと、
該Ｉパワー増幅器回路および該Ｑパワー増幅器回路のうちの少なくとも一方を制御することにより、該増幅されたＩ信号および該増幅されたＱ信号のうちの少なくとも一方の振幅を変えることと
を含む、方法。
【請求項１５】
請求項１４に記載の方法であって、該方法は、前記Ｉ回路および前記Ｑ回路にフィードされた前記デジタルベースバンドＩ信号および前記デジタルベースバンドＱ信号（６０１ａ’’’〜６０１ｂ’’’および６０１ｃ’’’〜６０１ｄ’’’）をプレディストーションすることにより、振幅、周波数および位相変調エラーを補正することをさらに含む、方法。
【発明の詳細な説明】
【技術分野】
【０００１】
（技術分野）
本開示はコミュニケーションデバイスの分野に関連する。より具体的には、本開示はモバイルワイヤレスコミュニケーションデバイスおよび関連方法に関連する。
【背景技術】
【０００２】
（背景）
モバイルワイヤレスコミュニケーションデバイスは、先進的ラジオ周波数（ＲＦ）処理回路を有し、同相（Ｉ）および直交位相（Ｑ）変調および復調回路で変調スキームを典型的には用いることで、ラジオコミュニケーション信号を受信または送信する。ラジオ周波数（ＲＦ）処理回路は、パワー増幅器に線形性の問題を生じさせることがあり、脆弱なアンテナ整合性に苦しむことがある。これは、ＴＲＰ（ｔｏｔａｌ  ｒａｄｉａｔｅｄ  ｐｏｗｅｒ）の一部デグラデーションを引き起こし得、例としてパワー増幅器のより高い非線形性に起因して、調波干渉問題を起こし得る。
【０００３】
特許文献１は、これら問題のいくつかに対処し、ハウジングおよびハウジングに搭載されたアンテナを有するモバイルワイヤレスコミュニケーションデバイスを用いる。ラジオ周波数（ＲＦ）回路は、例えば典型的には少なくとも１つの回路基板上に、ハウジング内に収容される。ラジオ周波数（ＲＦ）回路はアンテナに接続されているトランシーバーを含み、アンテナを通してＲＦコミュニケーション信号が送信および受信される。プロセッサはＲＦ回路と共に作用する。トランシーバーは同相および直交位相（Ｉ／Ｑ）変調およびパワー増幅回路を含み、同相信号入力を有する同相（Ｉ）回路、および同相信号を受信し、同相信号を増幅する変調器混合器およびパワー増幅器回路を含む。直交位相（Ｑ）回路は直交位相信号入力、および直交位相信号を受信し、直交位相信号を増幅する変調器混合器およびパワー増幅器回路を含む。パワー結合器は、別個に増幅された同相信号および直交位相信号を受信し、合算し、結合されたＩおよびＱ信号として信号を出力する。
【０００４】
特許文献１で説明されるこのタイプの回路は、それぞれのパワー増幅器回路をＩ回路およびＱ回路の各々に有する、ＩＱ変調およびパワー増幅回路を提供する。開いたループシステム、またはより大きいまたはより小さい閉じたループシステムのどちらかを用いているときですら、これは任意のパワー増幅器ドライバーおよび／またはパワー増幅器バイアスに対してより大きな制御を可能にする。直交位相ハイブリッドパワー結合器がアンテナロードインピーダンスの不整合に耐久可能であり、位相および周波数変調に対してより大きな反映を生じさせることが可能であり、Ｉ回路およびＱ回路の各々に対するパワー増幅器回路のバイアスを変えることにより、効率的な振幅変調が発生し、より大きな柔軟性と回路機能を生じさせることを可能にする。
【０００５】
この回路におけるより大きな改善が、Ｉおよび／またはＱパワー増幅器に対する線形性とＩおよびＱ振幅および位相不均衡問題に関して望ましいということが分かっている。異なるラジオ周波数（ＲＦ）出力パワーレベルを用いてるときにＩおよびＱパワー増幅器の効率性の問題に対処することもまた、好都合である。
【先行技術文献】
【特許文献】
【０００６】
【特許文献１】米国特許出願公開第２０１０／０１６０３２号明細書
【発明の概要】
【課題を解決するための手段】
【０００７】
本発明は請求項において展開される。
【０００８】
（本発明の概要）
例えば、本発明は以下の項目を提供する。
（項目１）コミュニケーションデバイス（５００’）であって、該コミュニケーションデバイス（５００’）は、
同相（Ｉ）回路であって、該Ｉ回路は、同相変調器および混合器回路（５０３’〜５０６ａ’）、およびそこへ連結されたＩパワー増幅器（５１２ａ’）回路を含み、該Ｉ回路は、デジタルベースバンドＩ信号（６０１ａ’〜６０１ｂ’）を変調および増幅することにより、増幅されたＩ信号を生成するように構成されている、同相（Ｉ）回路と、
直交位相（Ｑ）回路であって、該Ｑ回路は、Ｑ変調器および混合器回路（５０３’〜５０６ｂ’）、およびそこへ連結されたＱパワー増幅器回路（５１２ｂ’）を含み、該Ｑ回路は、デジタルベースバンドＱ信号（６０１ｃ’〜６０１ｄ’）を変調および増幅することにより、該増幅されたＩ信号と別個に増幅されたＱ信号を生成するように構成されている、直交位相（Ｑ）回路と、
該別個に増幅されたＩ信号およびＱ信号を合算し、結合されたＩおよびＱ信号を出力するように構成されたパワー結合器（５２０’）と、
該Ｉパワー増幅器回路からのフィードバック信号を復調し、復調されたＩ信号を発生させるように構成されたＩ復調器回路（５７０ａ’）と、
該Ｑパワー増幅器回路からのフィードバック信号を復調し、復調されたＱ信号を発生させるように構成されたＱ復調器回路（５７０ｂ’）と、
該デジタルベースバンドＩ信号および該デジタルベースバンドＱ信号を該復調されたＩ信号および該復調されたＱ信号と比較することにより、エラーを補正するように構成されたプロセッサ（５３０’）と、
該Ｉ回路、該Ｑ回路にそれぞれ連結されたＩ信号入力、Ｑ信号入力であって、該結合されたＩおよびＱ信号から孤立したＩ信号入力、Ｑ信号入力と
を含み、
該プロセッサは、複数の位相シフター（６０２ａ’、６０２ｂ’）を含み、該複数の位相シフターと該Ｉ信号入力および該Ｑ信号入力との間で該デジタルベースバンドＩ信号および該デジタルベースバンドＱ信号を選択的に切り替えることにより、該デジタルベースバンドＩ信号および該デジタルベースバンドＱ信号のうちの少なくとも一方に対する選択的位相シフトを提供するよう構成されている、コミュニケーションデバイス（５００’）。
（項目２）前述の項目のいずれか１項目に記載のコミュニケーションデバイス（５００’）であって、前記プロセッサ（５３０’）は、前記Ｉ回路および前記Ｑ回路にフィードされた前記デジタルベースバンドＩ信号および前記デジタルベースバンドＱ信号（６０１ａ’〜６０１ｂ’および６０１ｃ’〜６０１ｄ’）をプレディストーションすることにより、振幅、周波数および位相変調エラーを補正するように構成されている、コミュニケーションデバイス（５００’）。
（項目３）前述の項目のいずれか１項目に記載のコミュニケーションデバイス（５００’）であって、前記Ｉ変調器および混合器回路（５０３’〜５０６ａ’）は、Ｉ＿Ｉ入力信号およびＩ＿Ｑ入力信号を処理することにより、前記Ｉパワー増幅器（５１２ａ’）回路に対してＩ信号を発生させるように構成されていて、前記Ｑ変調器および混合器回路（５０３’〜５０６ｂ’）は、Ｑ＿Ｉ入力信号およびＱ＿Ｑ入力信号を処理することにより、前記Ｑパワー増幅器回路に対してＱ信号を発生させるように構成されている、コミュニケーションデバイス（５００’）。
（項目４）前述の項目のいずれか１項目に記載のコミュニケーションデバイス（５００’）であって、前記Ｉ変調器および混合器回路（５０３’〜５０６ａ’）は、
Ｉ＿Ｉ混合器（５０４ａ’）、Ｉ＿Ｑ混合器（５０４ｂ’）であって、各混合器は、それぞれＩ＿Ｉ信号、Ｉ＿Ｑ信号を処理するように構成されている、Ｉ＿Ｉ混合器（５０４ａ’）、Ｉ＿Ｑ混合器（５０４ｂ’）と、
該Ｉ＿Ｉ混合器および該Ｉ＿Ｑ混合器に関連付けられ、９０度位相シフトするように構成されている周波数ディバイダー（５０５ａ’）回路と、
該Ｉ＿Ｉ混合器および該Ｉ＿Ｑ混合器から信号を受信し、前記Ｉ信号を発生させるように構成されているＩ合算器（５０６ａ’）と
を含み、
前記Ｑ変調器および混合器回路（５０３’〜５０６ｂ’）は、
Ｑ＿Ｉ混合器（５０４ｃ’）、Ｑ＿Ｑ混合器（５０４ａ’）であって、各混合器は、それぞれＱ＿Ｉ信号、Ｑ＿Ｑ信号を処理するように構成されている、Ｑ＿Ｉ混合器（５０４ｃ’）、Ｑ＿Ｑ混合器（５０４ａ’）と、
該Ｑ＿Ｉ混合器および該Ｑ＿Ｑ混合器に関連付けられ、９０度位相シフトするように構成されている周波数ディバイダー回路（５０５ｂ’）と、
該Ｑ＿Ｉ混合器および該Ｑ＿Ｑ混合器から信号を受信し、前記Ｑ信号を発生させるように構成されているＱ合算器（５０６ｂ’）と
を含む、コミュニケーションデバイス（５００’）。
（項目５）前述の項目のいずれか１項目に記載のコミュニケーションデバイス（５００’）であって、前記プロセッサ（５３０’）は、前記パワー増幅器回路（５１２ａ’および５１２ｂ’）の各々を制御することと、各パワー増幅器回路におけるそれぞれのバイアスを制御することと、それぞれの前記Ｉ信号または前記Ｑ信号の振幅を調節することとのために、制御信号を出力するように構成されている、コミュニケーションデバイス（５００’）。
（項目６）前述の項目のいずれか１項目に記載のコミュニケーションデバイス（５００’）であって、前記ＩおよびＱ復調器回路（５７０ａ’および５７０ｂ’）の各々は、混合器（５０４ａ’〜５０４ｄ’）および９０度位相シフトに対してそこに関連付けられた周波数ディバイダー（５０５ａ’〜５０５ｂ’）を含む、コミュニケーションデバイス（５００’）。
（項目７）前述の項目のいずれか１項目に記載のコミュニケーションデバイス（５００’）であって、該コミュニケーションデバイス（５００’）は、前記プロセッサ（５３０’）に接続されたＩ／Ｑ復調器回路（５６０ａ’〜５６０ｃ’、５７２ａ’〜５７２ｆ’、５７４ａ’〜５７４ｃ’、５７６ａ’〜５７６ｅ’、５７８ａ’〜５７８ｅ’、５９０’、５８８’）であって、前記パワー結合器（５２０’）の出力からの信号を処理することにより、振幅、周波数および位相変調エラーを決定するのを助けるように構成されているＩ／Ｑ復調器回路（５６０ａ’〜５６０ｃ’、５７２ａ’〜５７２ｆ’、５７４ａ’〜５７４ｃ’、５７６ａ’〜５７６ｅ’、５７８ａ’〜５７８ｅ’、５９０’、５８８’）をさらに含む、コミュニケーションデバイス（５００’）。
（項目８）前述の項目のいずれか１項目に記載のコミュニケーションデバイス（５００’）であって、該コミュニケーションデバイス（５００’）は、前記プロセッサ（５３０’）に接続されたパワー検知器（５５６’）であって、前記パワー結合器（５２０’）の出力からの信号を処理し、振幅エラーを補正するために、オリジナルのパワーと比較される信号を出力するように構成されているパワー検知器（５５６’）をさらに含む、コミュニケーションデバイス（５００’）。
（項目９）コミュニケーションデバイス（５００’）を作動させる方法であって、該方法は、
同相（Ｉ）回路を提供することであって、該Ｉ回路は、同相変調器および混合器回路（５０３’〜５０６ａ’）と、そこへ連結されたＩパワー増幅器（５１２ａ’）回路とを含み、該Ｉ回路は、デジタルベースバンドＩ信号（６０１ａ’〜６０１ｂ’）を変調および増幅することにより、増幅されたＩ信号を生成する、ことと、
直交位相（Ｑ）回路を提供することであって、該Ｑ回路は、Ｑ変調器および混合器回路（５０３’〜５０６ｂ’）と、そこへ連結されたＱパワー増幅器回路（５１２ｂ’）とを含み、該Ｑ回路は、デジタルベースバンドＱ信号（６０１ｃ’〜６０１ｄ’）を変調および増幅することにより、該増幅されたＩ信号と別個に増幅されたＱ信号を生成する、ことと、
パワー結合器（５２０’）を用いて、該別個に増幅されたＩ信号およびＱ信号を合算し、結合されたＩおよびＱ信号を出力することと、
Ｉ復調器回路（５７０ａ’）を用いて、該Ｉパワー増幅器回路からのフィードバック信号を復調し、復調されたＩ信号を発生させることと、
Ｑ復調器回路（５７０ｂ’）を用いて、該Ｑパワー増幅器回路からのフィードバック信号を復調し、復調されたＱ信号を発生させることと、
プロセッサ（５３０’）を用いて、該デジタルベースバンドＩ信号および該デジタルベースバンドＱ信号を該復調されたＩ信号および該復調されたＱ信号と比較することにより、エラーを補正することと、
該Ｉ回路、該Ｑ回路にそれぞれ連結されたＩ信号入力、Ｑ信号入力を該結合されたＩおよびＱ信号から孤立させることと、
複数の位相シフター（６０２ａ’、６０２ｂ’）を含む該プロセッサを用いて該デジタルベースバンドＩ信号および該デジタルベースバンドＱ信号を該複数の位相シフターと該Ｉ信号入力および該Ｑ信号入力との間で選択的に切り替えることにより、該デジタルベースバンドＩ信号および該デジタルベースバンドＱ信号のうちの少なくとも一方に対して選択的位相シフトを提供することと
を含む、方法。
（項目１０）前述の項目のいずれか１項目に記載の方法であって、該方法は、前記プロセッサ（５３０’）を用いて、前記Ｉ回路および前記Ｑ回路へフィードされた前記デジタルベースバンドＩ信号および前記デジタルベースバンドＱ信号をプレディストーションすることにより、振幅、周波数および位相変調エラーを補正することをさらに含む、方法。
（項目１１）前述の項目のいずれか１項目に記載の方法であって、該方法は、
前記Ｉ変調器および混合器回路（５０３’〜５０６ａ’）を用いて、Ｉ＿ＩおよびＩ＿Ｑ入力信号を処理することにより、前記Ｉパワー増幅器（５１２ａ’）回路に対してＩ信号を発生させることと、
前記Ｑ変調器および混合器回路（５０３’〜５０６ｂ’）を用いて、Ｑ＿ＩおよびＱ＿Ｑ入力信号を処理することにより、前記Ｑパワー増幅器回路（５１２ｂ’）に対してＱ信号を発生させることと
をさらに含む、方法。
（項目１２）コミュニケーションデバイス（５００’’’）であって、該コミュニケーションデバイス（５００’’’）は、
同相（Ｉ）回路であって、該Ｉ回路は、同相変調器および混合器回路（５０３’’’〜５０６ａ’’’）、およびそこへ連結されたＩパワー増幅器（５１２ａ’’’）回路を含み、該Ｉ回路は、デジタルベースバンドＩ信号（６０１ａ’’’〜６０１ｂ’’’）を変調および増幅することにより、増幅されたＩ信号を生成するように構成されている、同相（Ｉ）回路と、
直交位相（Ｑ）回路であって、該Ｑ回路は、Ｑ変調器および混合器回路（５０３’’’〜５０６ｂ’’’）、およびそこへ連結されたＱパワー増幅器回路（５１２ｂ’’’）を含み、該Ｑ回路は、デジタルベースバンドＱ信号（６０１ｃ’’’〜６０１ｄ’’’）を変調および増幅することにより、該増幅されたＩ信号と別個に増幅されたＱ信号を生成するように構成されている、直交位相（Ｑ）回路と、
該別個に増幅されたＩ信号およびＱ信号を合算し、結合されたＩおよびＱ信号を出力するように構成されているパワー結合器（５２０’’’）と、
該Ｉパワー増幅器回路からのフィードバック信号を復調し、復調されたＩ信号を発生させるように構成されているＩ復調器回路（５７０ａ’’’）と、
該Ｑパワー増幅器回路からのフィードバック信号を復調し、復調されたＱ信号を発生させるように構成されているＱ復調器回路（５７０ｂ’’’）と、
該Ｉ回路、該Ｑ回路にそれぞれ連結されたＩ信号入力、Ｑ信号入力であって、該結合されたＩおよびＱ信号から孤立しているＩ信号入力、Ｑ信号入力と、
プロセッサ（５３０’’’）であって、該プロセッサ（５３０’’’）は、
該デジタルベースバンドＩ信号および該デジタルベースバンドＱ信号を該復調されたＩ信号および該復調されたＱ信号と比較することにより、エラーを補正することと、
該デジタルベースバンドＩ信号および該デジタルベースバンドＱ信号のうちの少なくとも一方を選択的に位相シフトすることと、
該Ｉパワー増幅器回路および該Ｑパワー増幅器回路のうちの少なくとも一方を制御することにより、該増幅されたＩ信号および該増幅されたＱ信号のうちの少なくとも一方の振幅を変えることと、
を実行するように構成されている、プロセッサ（５３０’’’）と
を含む、コミュニケーションデバイス（５００’’’）。
（項目１３）前述の項目のいずれか１項目に記載のコミュニケーションデバイス（５００’’’）であって、前記プロセッサ（５３０’’’）は、前記Ｉ回路および前記Ｑ回路にフィードされた前記デジタルベースバンドＩ信号および前記デジタルベースバンドＱ信号（６０１ａ’’’〜６０１ｂ’’’および６０１ｃ’’’〜６０１ｄ’’’）をプレディストーションすることにより、振幅、周波数および位相変調エラーを補正するように構成されている、コミュニケーションデバイス（５００’’’）。
（項目１４）コミュニケーションデバイス（５００’’’）を作動させる方法であって、該方法は、
同相（Ｉ）回路を提供することであって、該Ｉ回路は、同相変調器および混合器回路（５０３’’’〜５０６ａ’’’）と、そこへ連結されたＩパワー増幅器（５１２ａ’’’）回路を含み、該Ｉ回路は、デジタルベースバンドＩ信号（６０１ａ’’’〜６０１ｂ’’’）を変調および増幅することにより、増幅されたＩ信号を生成する、ことと、
直交位相（Ｑ）回路を提供することであって、該Ｑ回路は、Ｑ変調器および混合器回路（５０３’’’〜５０６ｂ’’’）と、そこへ連結されたＱパワー増幅器回路（５１２ｂ’’’）を含み、該Ｑ回路は、デジタルベースバンドＱ信号（６０１ｃ’’’〜６０１ｄ’’’）を変調および増幅することにより、該増幅されたＩ信号と別個に増幅されたＱ信号を生成する、ことと、
パワー結合器（５２０’’’）を用いて、該別個に増幅されたＩ信号およびＱ信号を合算し、結合されたＩおよびＱ信号を出力することと、
Ｉ復調器回路（５７０ａ’’’）を用いて、該Ｉパワー増幅器回路からのフィードバック信号を復調し、復調されたＩ信号を発生させることと、
Ｑ復調器回路（５７０ｂ’’’）を用いて、該Ｑパワー増幅器回路からのフィードバック信号を復調し、復調されたＱ信号を発生させることと、
該Ｉ回路、該Ｑ回路にそれぞれ連結されたＩ信号入力、Ｑ信号入力を該結合されたＩおよびＱ信号から孤立させることと、
該デジタルベースバンドＩ信号および該デジタルベースバンドＱ信号を該復調されたＩ信号および該復調されたＱ信号と比較することにより、エラーを補正することと、
該デジタルベースバンドＩ信号および該デジタルベースバンドＱ信号のうちの少なくとも一方を選択的に位相シフトすることと、
該Ｉパワー増幅器回路および該Ｑパワー増幅器回路のうちの少なくとも一方を制御することにより、該増幅されたＩ信号および該増幅されたＱ信号のうちの少なくとも一方の振幅を変えることと
を含む、方法。
（項目１５）前述の項目のいずれか１項目に記載の方法であって、該方法は、前記Ｉ回路および前記Ｑ回路にフィードされた前記デジタルベースバンドＩ信号および前記デジタルベースバンドＱ信号（６０１ａ’’’〜６０１ｂ’’’および６０１ｃ’’’〜６０１ｄ’’’）をプレディストーションすることにより、振幅、周波数および位相変調エラーを補正することをさらに含む、方法。
【０００９】
（摘要）
コミュニケーションデバイス（５００’）は、同相（Ｉ）変調器および混合器回路（５０３’〜５０６ａ’）、ならびにそこへ連結されたＩパワー増幅器（５１２ａ’）を有する同相回路と、直交位相（Ｑ）変調器および混合器回路（５０３’〜５０６ｂ’）、ならびにそこへ連結されたＱパワー増幅器回路（５１２ｂ’）を有する直交位相回路とを含み得る。Ｉ回路は、デジタルベースバンドＩ信号（６０１ａ’〜６０１ｂ’）を変調および増幅することにより、増幅されたＩ信号を生成するように構成されている。Ｑ回路は、デジタルベースバンドＱ信号（６０１ｃ’〜６０１ｄ’）を変調および増幅することにより、増幅されたＩ信号とは別個に増幅されたＱ信号を生成するように構成されている。コミュニケーションデバイスは、プロセッサ（５３０’）を含み得、プロセッサ（５３０’）は、例えば、デジタルベースバンドＩ信号およびデジタルベースバンドＱ信号をＩ信号入力およびＱ信号入力間で選択的に切り替えることにより、デジタルベースバンドＩ信号およびデジタルベースバンドＱ信号に対して選択的位相シフトを提供するように構成されている。例えば、コントローラーはデジタルベースバンドＩ信号およびデジタルベースバンドＱ信号を選択的に位相シフトし得、Ｉパワー増幅器回路およびＱパワー増幅器回路を制御することにより増幅されたＩ信号およびＱ信号の振幅を変え得る。
【図面の簡単な説明】
【００１０】
（図の簡単な説明）
添付の図に照らし合わせて考慮すると、他の目的、特徴および利点が、以下の詳細な説明より明らかとなる。
【図１】図１は、ハンドヘルドのデバイスとして構成されたモバイルワイヤレスコミュニケーションデバイスの例の概略のブロックダイアグラムであり、非限定的例としてその基本的な内部コンポーネントを描写する。
【図２】図２は、図１のモバイルワイヤレスコミュニケーションデバイスの正面立面図である。
【図３】図３は、図１〜２のモバイルワイヤレスコミュニケーションデバイスに用いられ得る基本的な機能的回路コンポーネントを示した概略のブロックダイアグラムである。
【図４】図４は、同相および直交位相（Ｉ／Ｑ）変調およびパワー増幅回路のブロックダイアグラムであり、先行技術に従った、Ｉ／Ｑ信号を結合した後の１つのパワー増幅回路を示す。
【図５】図５は、同相および直交位相変調およびパワー増幅回路のブロックダイアグラムであり、その回路は、参照によって取り込まれ、上記で言及された共同譲渡された‘０４５特許出願に説明される回路のタイプに従い、同相および直交位相回路の各々に対して別個のパワー増幅器回路を含む。
【図６】図６は、本開示に従い、図５の回路と比較して改善された同相および直交位相変調およびパワー増幅回路の部分を示したブロックダイアグラムであり、機能的コンポーネントに関連付けられた結果の数学的計算を示し、直交位相結合器の後、信号を結合したときの改善を示している。
【図７Ａ】図７Ａおよび図７Ｂは、本開示に従った、同相および直交位相変調およびパワー増幅回路のブロックダイアグラムである。
【図７Ｂ】図７Ａおよび図７Ｂは、本開示に従った、同相および直交位相変調およびパワー増幅回路のブロックダイアグラムである。
【図８−１】図８Ａは、本開示に従った、同相および直交位相変調およびパワー増幅回路の別の実施形態のブロックダイアグラムである。
【図８−２】図８Ａは、本開示に従った、同相および直交位相変調およびパワー増幅回路の別の実施形態のブロックダイアグラムである。
【図８−３】図８Ｂは、図８Ａの同相および直交位相変調およびパワー増幅回路のブロックダイアグラムであり、本開示に従った、機能的コンポーネントに関連付けられた結果の数学的計算を示している。
【図９】図９は、同相および直交位相変調およびパワー増幅回路のさらに別の実施形態のブロックダイアグラムであり、本開示に従った、機能的コンポーネントに関連付けられた結果の数学的計算を示している。
【図１０】図１０は、同相および直交位相変調およびパワー増幅回路の別の実施形態のブロックダイアグラムであり、本開示に従った、機能的コンポーネントに関連付けられた結果の数学的計算を示している。
【発明を実施するための形態】
【００１１】
（好ましい実施形態の詳細な説明）
本説明は、好ましい実施形態が示される添付の図への参照とともになされる。しかし、多くの異なる実施形態が用いられ得る。そのため説明は本明細書に記載の実施形態のセットに限定されるものとして解釈されるべきではない。むしろ、これらの実施形態は、本開示が徹底的で完全となるよう提供される。類似の数字は類似の要素を一貫して参照する。プライム表記は、代替的な実施形態における類似の要素を示すために用いられている。
【００１２】
ある一面は、同相（Ｉ）変調器および混合器回路、およびそこへ連結されたＩパワー増幅器回路を含むＩ回路を含むコミュニケーションデバイスに関する。Ｉ回路は、デジタルベースバンドＩ信号を変調および増幅することにより、増幅されたＩ信号を生成するように構成され得る。コミュニケーションデバイスは、また、直交位相（Ｑ）変調器および混合器回路、およびそこへ連結されたＱパワー増幅器回路を含むＱ回路を含み得る。Ｑ回路はデジタルベースバンドＱ信号を変調および増幅することにより、増幅されたＩ信号とは別個に増幅されたＱ信号を生成するように構成され得る。コミュニケーションデバイスは、別個に増幅されたＩ信号およびＱ信号を合算し、結合されたＩおよびＱ信号を出力するように構成されているパワー結合器と、Ｉパワー増幅器回路からのフィードバック信号を復調し、復調されたＩ信号を発生するように構成されているＩ復調器回路とを含み得る。コミュニケーションデバイスは、また、Ｑパワー増幅器回路からのフィードバック信号を復調し、復調されたＱ信号を発生させるように構成されたＱ復調器回路と、デジタルベースバンドＩ信号およびデジタルベースバンドＱ信号を復調されたＩ信号および復調されたＱ信号と比較することにより、振幅、周波数および位相変調エラーのようなエラーを補正するように構成されたプロセッサとを含み得る。コミュニケーションデバイスは、また、Ｉ回路、Ｑ回路にそれぞれ連結されたＩ信号入力、Ｑ信号入力を含み得、Ｉ信号入力、Ｑ信号入力は結合されたＩおよびＱ信号から孤立しており、例えばアンテナ整合および、ｔｒａｎｓｍｉｔ  ｒａｄｉａｔｅｄ  ｐｏｗｅｒ（ＴＲＰ）を高め、それぞれのＩパワー増幅器回路、Ｑパワー増幅器回路からの調波放出を減らす。プロセッサは、デジタルベースバンドＩ信号およびデジタルベースバンドＱ信号をＩ信号入力とＱ信号入力とで選択的に切り替えることにより、デジタルベースバンドＩ信号およびデジタルベースバンドＱ信号のうちの少なくとも一方に対して選択的位相シフトを提供するように構成され得る。
【００１３】
一部の実施形態において、プロセッサは、Ｉ回路およびＱ回路にフィードされたデジタルベースバンドＩ信号およびデジタルベースバンドＱ回路をプレディストーションすることにより、振幅、周波数および位相変調エラーを補正するように構成され得る。Ｉ変調器および混合器回路は、Ｉ＿Ｉ入力信号およびＩ＿Ｑ入力信号を処理することにより、Ｉパワー増幅器回路に対してＩ信号を発生させるように構成され得る。Ｑ変調器および混合器回路は、Ｑ＿Ｉ入力信号およびＱ＿Ｑ入力信号を処理することにより、Ｑパワー増幅器回路に対してＱ信号を発生させるように構成され得る。
【００１４】
より具体的には、Ｉ変調器および混合器回路は、Ｉ＿Ｉ混合器、Ｉ＿Ｑ混合器、周波数ディバイダー回路およびＩ合算器を含み得る。Ｉ＿Ｉ混合器、Ｉ＿Ｑ混合器の各々は、それぞれのＩ＿Ｉ信号、Ｉ＿Ｑ信号を処理するように構成されている。周波数ディバイダー回路は、Ｉ＿Ｉ混合器およびＩ＿Ｑ混合器に関連付けられており、９０度位相シフトするように構成されている。Ｉ合算器は、Ｉ＿Ｉ混合器およびＩ＿Ｑ混合器から信号を受信し、Ｉ信号を発生させるように構成されている。Ｑ変調器および混合器回路は、Ｑ＿Ｉ混合器、Ｑ＿Ｑ混合器、周波数ディバイダー回路およびＱ合算器を含み得る。Ｑ＿Ｉ混合器、Ｑ＿Ｑ混合器の各々はそれぞれのＱ＿Ｉ信号、Ｑ＿Ｑ信号を処理するように構成されている。周波数ディバイダー回路は、Ｑ＿Ｉ混合器およびＱ＿Ｑ混合器に関連付けられており、９０度位相シフトするように構成されている。Ｑ合算器は、Ｑ＿Ｉ混合器およびＱ＿Ｑ混合器からの信号を受信し、Ｑ信号を発生させるように構成されている。
【００１５】
例えば、プロセッサは、パワー増幅器回路の各々を制御することと、各パワー増幅器回路におけるそれぞれのバイアスを制御することと、それぞれのＩ信号またはＱ信号の振幅を調節することとのために、制御信号を出力するように構成され得る。Ｉ復調器回路およびＱ復調器回路の各々は、混合器およびその混合器に関連した９０度の位相シフトする周波数ディバイダーを含み得る。
【００１６】
一部の実施形態において、コミュニケーションデバイスは、Ｉ／Ｑ復調器回路をさらに含み得、Ｉ／Ｑ復調器回路は、プロセッサに接続され、パワー結合器の出力からの信号を処理することにより、振幅、周波数および位相変調エラーを決定する助けをするように構成されている。コミュニケーションデバイスは、プロセッサに接続されたパワー結合器であって、パワー結合器の出力からの信号を処理するように構成され、振幅エラーを補正するためにオリジナルのパワーと比較される信号を出力するように構成されているパワー検知器をさらに含み得る。
【００１７】
例えば、パワー結合器は、３ｄＢパワー結合器およびＱハイブリッドパワー結合器のうちの少なくとも一方を含み得る。他の実施形態において、コミュニケーションデバイスは、パワー結合器に連結されたアンテナをさらに含み得る。
【００１８】
別の一面は、モバイルワイヤレスコミュニケーションデバイスに関する。モバイルワイヤレスコミュニケーションデバイスは、ハウジング、ハウジングにより収容されるアンテナ、およびハウジングにより収容される少なくとも１つの回路基板を含み、少なくとも１つの回路基板により収容されるラジオ周波数（ＲＦ）回路を含む。モバイルコミュニケーションデバイスは、アンテナに接続されたトランシーバーを含み、このアンテナを通してＲＦコミュニケーション信号が送信および受信され、少なくとも１つの回路基板により収容され、ＲＦ回路とともに作用するプロセッサを含む。トランシーバーは、Ｉ変調器および混合器回路、およびそこへ連結されたＩパワー増幅器回路を含むＩ回路を含むＩ／Ｑ変調およびパワー増幅回路をさらに含み得る。Ｉ回路は、デジタルベースバンドＩ信号を変調および増幅することにより、増幅されたＩ信号を生成するように構成され得る。Ｉ／Ｑ変調およびパワー増幅回路は、Ｑ変調器および混合器回路、およびそこへ連結されたＱパワー増幅器回路を含むＱ回路をさらに含み得る。Ｑ回路は、デジタルベースバンドＱ信号を変調および増幅することにより、増幅されたＩ信号とは別個に増幅されたＱ信号を生成させるように構成され得る。
【００１９】
Ｉ／Ｑ変調およびパワー増幅回路は、パワー結合器およびＩ復調器回路をさらに含み得る。パワー結合器は、別個に増幅されたＩ信号およびＱ信号を合算し、結合されたＩおよびＱ信号を出力するように構成されている。Ｉ復調器回路は、Ｉパワー増幅器回路からのフィードバック信号を復調し、復調されたＩ信号を発生させるように構成されている。Ｉ／Ｑ変調およびパワー増幅回路は、Ｑ復調器回路およびプロセッサをさらに含み得る。Ｑ復調器回路は、Ｑパワー増幅器回路からのフィードバック信号を復調し、復調されたＱ信号を発生させるように構成されている。プロセッサは、デジタルベースバンドＩ信号およびデジタルベースバンドＱ信号を復調されたＩ信号および復調されたＱ信号と比較することにより、例えば振幅、周波数および位相変調エラーのようなエラーを補正するように構成されている。Ｉ／Ｑ変調およびパワー増幅回路は、Ｉ回路、Ｑ回路にそれぞれ連結されているＩ信号入力、Ｑ信号入力をさらに含み得る。Ｉ信号入力、Ｑ信号入力は、結合されたＩおよびＱ信号から孤立し、例えば、アンテナ整合およびＴＲＰを高め、それぞれのＩパワー増幅器回路、Ｑパワー増幅器回路からの調波放出を減らす。プロセッサは、Ｉ信号入力とＱ信号入力とでデジタルベースバンドＩ信号およびデジタルベースバンドＱ信号を選択的に切り替え、デジタルベースバンドＩ信号およびデジタルベースバンドＱ信号のうちの少なくとも一方に対して選択的位相シフトを提供するように構成され得る。
【００２０】
別の一面はコミュニケーションデバイスを作動させる方法に関する。方法は、Ｉ回路を提供することを含み得る。Ｉ回路は、Ｉ変調器および混合器回路と、デジタルベースバンドＩ信号を変調および増幅することにより、増幅されたＩ信号を生成する、そこへ連結されたＩパワー増幅器回路とを含む。方法は、Ｑ回路を提供することを含み得る。Ｑ回路は、Ｑ変調器および混合器回路と、デジタルベースバンドＱ信号を変調および増幅することにより、増幅されたＩ信号とは別個に増幅されたＱ信号を生成する、そこへ連結されたＱパワー増幅器回路を含む。方法は、パワー結合器を用いて、別個に増幅されたＩ信号およびＱ信号を合算し、結合されたＩおよびＱ信号を出力することを含み得る。方法は、Ｉ復調器回路を用いて、Ｉパワー増幅器回路からのフィードバック信号を復調して、復調されたＩ信号を発生させることを含み得る。方法は、また、Ｑ復調器回路を用いて、Ｑパワー増幅器回路からのフィードバック信号を復調し、復調されたＱ信号を発生させることを含み得る。方法は、また、プロセッサを用いて、デジタルベースバンドＩ信号およびデジタルベースバンドＱ信号を復調されたＩ信号および復調されたＱ信号と比較することにより、例えば、振幅、周波数および位相変調エラーのようなエラーを補正することを含み得る。方法は、また、Ｉ回路、Ｑ回路にそれぞれ連結されたＩ信号入力、Ｑ信号入力を結合されたＩおよびＱ信号から孤立させることにより、例えばアンテナ整合およびＴＲＰを高め、それぞれのＩパワー増幅器回路、Ｑパワー増幅器回路からの調波放出を減らすことと、プロセッサを用いて、デジタルベースバンドＩ信号およびデジタルベースバンドＱ信号をＩ信号入力とＱ信号入力とで選択的に切り替えることにより、デジタルベースバンドＩ信号およびデジタルベースバンドＱ信号のうちの少なくとも一方に対して選択的位相シフトを提供することとを含み得る。
【００２１】
別の一面は、Ｉ変調器および混合器回路、およびそこへ連結されたＩパワー増幅器回路を含むＩ回路を含むコミュニケーションデバイスに関する。Ｉ回路は、デジタルベースバンドＩ信号を変調および増幅することにより、増幅されたＩ信号を生成するように構成され得る。コミュニケーションデバイスは、また、Ｑ変調器および混合器回路、およびそこへ連結されたＱパワー増幅器回路を含むＱ回路を含み得る。Ｑ回路はデジタルベースバンドＱ信号を変調および増幅することにより、増幅されたＩ信号とは別個に増幅されたＱ信号を生成するように構成され得る。コミュニケーションデバイスは、また、別個に増幅されたＩ信号およびＱ信号を合算し、結合されたＩおよびＱ信号を出力するように構成されているパワー結合器と、Ｉパワー増幅器回路からのフィードバック信号を復調し、復調されたＩ信号を発生させるように構成されているＩ復調器回路とを含み得る。コミュニケーションデバイスは、また、Ｑパワー増幅器回路からのフィードバック信号を復調し、復調されたＱ信号を発生させるように構成されているＱ復調器回路を含み得る。コミュニケーションデバイスは、Ｉ回路およびＱ回路にそれぞれ連結され、結合されたＩおよびＱ信号から孤立しているＩ信号入力およびＱ信号入力と、プロセッサとをさらに含み得る。プロセッサは、デジタルベースバンドＩ信号およびデジタルベースバンドＱ信号を復調されたＩ信号および復調されたＱ信号と比較することにより、エラーを補正し、デジタルベースバンドＩ信号およびデジタルベースバンドＱ信号のうちの少なくとも一方を選択的に位相シフトし、Ｉパワー増幅器回路およびＱパワー増幅器回路のうちの少なくとも一方を制御することにより、増幅されたＩ信号および増幅されたＱ信号のうちの少なくとも一方の振幅を変えるように構成され得る。
【００２２】
別の一面は、モバイルワイヤレスコミュニケーションデバイスに関する。モバイルワイヤレスコミュニケーションデバイスは、ハウジング、ハウジングにより収容されるアンテナ、およびハウジングにより収容される少なくとも１つの回路基板を含み、少なくとも１つの回路基板により収容されるラジオ周波数（ＲＦ）回路を含む。モバイルコミュニケーションデバイスは、アンテナに接続されたトランシーバーを含み、このアンテナを通してＲＦコミュニケーション信号が送信および受信され、少なくとも１つの回路基板により収容され、ＲＦ回路とともに作用するプロセッサを含む。トランシーバーは、Ｉ変調器および混合器回路、およびそこへ連結されたＩパワー増幅器回路を含むＩ回路を含むＩ／Ｑ変調およびパワー増幅回路とをさらに含み得る。Ｉ回路は、デジタルベースバンドＩ信号を変調および増幅することにより、増幅されたＩ信号を生成するように構成され得る。Ｉ／Ｑ変調およびパワー増幅回路は、Ｑ変調器および混合器回路、およびそこへ連結されたＱパワー増幅器回路を含むＱ回路を、また、含み得る。Ｑ回路は、デジタルベースバンドＱ信号を変調および増幅することにより、増幅されたＩ信号とは別個に増幅されたＱ信号を生成させるように構成され得る。Ｉ／Ｑ変調およびパワー増幅回路は、パワー結合器、Ｉ復調器回路およびＱ復調器回路を、また、含み得る。パワー結合器は、別個に増幅されたＩ信号およびＱ信号を合算し、結合されたＩおよびＱ信号を出力するように構成されている。Ｉ復調器回路は、Ｉパワー増幅器回路からのフィードバック信号を復調し、復調されたＩ信号を発生させるように構成されている。Ｑ復調器回路は、Ｑパワー増幅器回路からのフィードバック信号を復調し、復調されたＱ信号を発生させるように構成されている。Ｉ／Ｑ変調およびパワー増幅回路は、Ｉ回路およびＱ回路にそれぞれ連結され、結合されたＩおよびＱ信号から孤立しているＩ信号入力およびＱ信号入力と、プロセッサとをさらに含み得る。Ｑ復調器回路およびプロセッサとをさらに含み得る。プロセッサは、デジタルベースバンドＩ信号およびデジタルベースバンドＱ信号を復調されたＩ信号および復調されたＱ信号と比較することにより、エラーを補正し、デジタルベースバンドＩ信号およびデジタルベースバンドＱ信号のうちの少なくとも一方を選択的に位相シフトし、Ｉパワー増幅器回路およびＱパワー増幅器回路のうちの少なくとも一方を制御することにより、増幅されたＩ信号および増幅されたＱ信号のうちの少なくとも一方の振幅を変えるように構成され得る。
【００２３】
別の一面はコミュニケーションデバイスを作動させる方法に関する。方法は、Ｉ回路を提供することを含み得る。Ｉ回路は、Ｉ変調器および混合器回路、およびそこへ連結されたＩパワー増幅器回路を含み、デジタルベースバンドＩ信号を変調および増幅することにより、増幅されたＩ信号を生成する。方法は、Ｑ回路を、また、提供することを含み得る。Ｑ回路は、Ｑ変調器および混合器回路、およびそこに連結されたＱパワー増幅器回路とを含む。Ｑ回路は、デジタルベースバンドＱ信号を変調および増幅し得、増幅されたＩ信号とは別個に増幅されたＱ信号を生成する。方法は、パワー結合器を用いて、別個に増幅されたＩ信号およびＱ信号を合算し、結合されたＩおよびＱ信号を出力することを含み得る。方法は、パワー結合器を用いて、別個に増幅されたＩ信号およびＱ信号を合算し、結合されたＩおよびＱ信号を出力することと、Ｉ復調器回路を用いて、Ｉパワー増幅器回路からのフィードバック信号を復調して、復調されたＩ信号を発生させることとをさらに含み得る。方法は、また、Ｑ復調器回路を用いて、Ｑパワー増幅器回路からのフィードバック信号を復調し、復調されたＱ信号を発生させることと、Ｉ回路、Ｑ回路にそれぞれ連結されたＩ信号入力およびＱ信号入力を結合されたＩおよびＱ信号から孤立させることとを含み得る。方法は、また、デジタルベースバンドＩ信号およびデジタルベースバンドＱ信号を復調されたＩ信号および復調されたＱ信号と比較することにより、エラーを補正することと、デジタルベースバンドＩ信号およびデジタルベースバンドＱ信号のうちの少なくとも一方を選択的に位相シフトすることと、Ｉパワー増幅器回路およびＱパワー増幅器回路のうちの少なくとも一方を制御することにより、増幅されたＩ信号および増幅されたＱ信号のうちの少なくとも一方の振幅を変えることとを含み得る。
【００２４】
コミュニケーションデバイスは、Ｉ変調器および混合回路と、デジタルベースバンドＩ信号を受信し、Ｉ信号を変調および増幅するＩパワー増幅器回路を有するＩ回路とを含む。Ｑ回路は、Ｑ変調器および混合器回路と、デジタルベースバンドＱ信号を受信し、Ｑ信号を変調および増幅するＱパワー増幅器回路とを含む。パワー結合器は、別個に増幅されたＩ信号およびＱ信号を受信し、合算して、結合されたＩおよびＱ信号としてＩ信号およびＱ信号を出力する。Ｉ復調器回路はＩパワー増幅器からフィードバックされた信号を受信し、フィードバックされた信号を復調することにより、復調されたＩ信号を発生させる。Ｑ復調器回路は、Ｑパワー増幅器回路からフィードバックされた信号を受信し、フィードバックされた信号を復調することにより、復調されたＱ信号を発生させる。プロセッサは、デジタルベースバンドＩ信号およびデジタルベースバンドＱ信号を復調されたＩ信号および復調されたＱ信号と比較することにより、振幅、周波数および位相変調エラーを補正し、Ｉ信号入力およびＱ信号入力は結合されたＩおよびＱ信号から孤立させられることにより、アンテナ整合およびＴＲＰを高め、それぞれのＩパワー増幅器回路、Ｑパワー増幅器回路からの調波放出を減らす。
【００２５】
ある一面においては、プロセッサは、Ｉ回路およびＱ回路にフィードされたデジタルＩ信号およびＱ信号をプレディストーションすることにより、振幅、周波数および位相変調エラーを補正することを助ける。それぞれのＩ変調器および混合器回路はＩ＿Ｉ入力信号およびＩ＿Ｑ入力信号を受信し得、Ｉ信号をＩパワー増幅器へ発生させる。Ｑ変調器および混合器回路はＱ＿Ｉ入力信号およびＱ＿Ｑ入力信号を受信することにより、Ｑ信号をＱパワー増幅器へ発生させる。Ｉ変調器および混合器回路は、それぞれのＩ＿Ｉ信号、Ｉ＿Ｑ信号を受信するそれぞれのＩ＿Ｉ混合器、Ｉ＿Ｑ混合器、およびＩ＿Ｉ混合器およびＩ＿Ｑ混合器に関連付けられ、９０度位相シフトを与える周波数ディバイダー回路、および混合器から信号を受信し、Ｉ信号を発生させるＩ合算器として形成され得る。Ｑ変調器および混合器回路は、それぞれのＱ＿Ｉ信号、Ｑ＿Ｑ信号を受信するそれぞれのＱ＿Ｉ混合器、Ｑ＿Ｑ混合器、およびＱ＿Ｉ混合器およびＱ＿Ｑ混合器に関連付けられ、９０度位相シフトを与える周波数ディバイダー回路、および混合器から信号を受信し、Ｑ信号を発生させるＱ合算器として形成され得る。
【００２６】
プロセッサは、パワー増幅器回路の各々を制御するための制御信号を出力し得る。プロセッサは、各パワー増幅器回路におけるそれぞれのバイアスを制御し得、それぞれのＩ信号またはＱ信号の振幅を調節し得る。別の一面においては、Ｉ復調器回路およびＱ復調器回路の各々は、混合器およびそこに関連付けられた９０度位相シフトを与える周波数ディバイダーとして形成され得る。
【００２７】
別の一面においては、Ｉ／Ｑ復調器回路は、プロセッサに接続され得、パワー結合器の出力から信号を受信することにより、振幅、周波数および位相変調エラーを決定することを助ける。パワー検知器は、プロセッサに接続され得、パワー結合器の出力から信号を受信し、振幅エラーを補正するために、オリジナルのパワーと比較される信号を出力する。パワー結合器は、３ｄＢパワー結合器として形成され得る。パワー結合器は、また、Ｑハイブリッドパワー結合器として形成され得る。
【００２８】
別の一面においては、モバイルワイヤレスコミュニケーションデバイスは、説明される回路を含み得、アンテナおよび少なくとも１つの回路基板を収容するハウジングとして形成され得る。ラジオ周波数（ＲＦ）回路は、少なくとも１つの回路基板により収容され得、アンテナに接続されたトランシーバーとして形成され得る。このアンテナを通して、ＲＦコミュニケーション信号は送信および受信される。プロセッサは少なくとも１つの回路基板により収容され、ＲＦ回路と共に作用する。このプロセッサは、デジタルベースバンドＩ信号およびデジタルベースバンドＱ信号を、振幅、周波数および位相変調エラーを補正するために、復調されたＩ信号およびＱ信号と比較するプロセッサと同じであり得る。
【００２９】
方法の一面も記載される。
【００３０】
ここで、図１〜３に関連して簡単な説明を続ける。図１〜３はモバイルワイヤレスコミュニケーションデバイス、例えばハンドヘルドのポータブルのセルラー方式のラジオの一例を開示する。このラジオは、後に記載される改善されたＩ変調器回路と、Ｑ変調器回路と、パワー増幅器回路とを含むさまざまな回路の非限定的例を組み込み得る。図１〜３は、多くの異なるタイプの機能的回路コンポーネントおよびそれらの相互接続の代表的非限定的例であり、記載された改善、利点および特徴を組み込み得るモバイルワイヤレスコミュニケーションデバイスの回路における使用のため作動する。
【００３１】
最初に図１および図２を参照すると、下記で説明されるような改善および利点を有するハンドヘルドのポータブルのセルラー方式のラジオのようなモバイルワイヤレスコミュニケーションデバイス２０の例が記載される。このデバイス２０は例示的に、上部４６と下部４７とを有するハウジング２１と、例えばハウジングによって収容される通常のプリント回路基板（ＰＣＢ）のような少なくとも１つの誘電性基板（つまり回路基板）６７とを含む。異なるコンポーネントをサポートするために複数の異なる回路基板が使われ得る。例えば、ある回路基板はマイクロプロセッサとＲＦコンポーネントとをサポートし得る。別の回路基板はアンテナ回路基板として形成され得る。さらに別の回路基板はキーボードのような別のコンポーネントをサポートする回路基板として形成され得る。マイクロプロセッサは、他のＲＦコンポーネントと比較した際、別の回路基板上に位置付けられ得る。
【００３２】
ハウジング（詳細には示されていない）は１つ以上の回路基板および１つ以上のアンテナのようなさまざまなコンポーネントを典型的には覆い囲う。ハウジングはハウジングケース、例えばプラスチックケースを含む。ハウジングケースはデザインのタイプによって、正面および裏面のための別個のハウジングカバーをサポートし得る。任意のタイプのハウジングまたはハウジングケースは任意の回路基板へのアクセスを許容し、１つ以上の回路基板および１つ以上のアンテナをサポートする。バッテリー開口部はバッテリーがデバイスにパワーを供給するためのアクセスを提供する。ハウジングケースは、非限定的例において、下方縁におけるような１つ以上のアンテナをサポートし得る。これ以降用いられる場合、回路基板６７という用語は、いずれの誘電性基板、ＰＣＢ、セラミック基板またはモバイルワイヤレスコミュニケーションデバイス２０内で信号回路および電子コンポーネントを収容する構造を収容する他の回路を指し得る。例示されたハウジング２１は例えば固定ハウジングであるが、多くのセルラー方式および同類の電話で典型的であるフリップまたはスライディングハウジングが用いられ得ることは理解されるべきである。これらハウジングおよび他のハウジングの、別のハウジングケースデザインを有する構成が用いられ得る。
【００３３】
回路４８はマイクロプロセッサ、メモリー、１つ以上のワイヤレストランシーバ（例えばセルラー方式、ＷＬＡＮなど）のような回路基板６７に収容される。回路基板６７はＲＦ回路を含み、ＲＦ回路はオーディオ回路およびパワー回路を含み、この側面から見ると、いずれのキーボード回路をＲＦ回路は含む。この回路はまた、一般的にはＲＦ回路と呼ばれ得る。当業者には理解されるように、キーボード回路は上述のように別個のキーボード上などにあり得ることは理解されるべきである。説明されたような異なるコンポーネントも１つの回路基板上または複数の異なる回路基板間に上述のように分布され得る。バッテリー（示されていない）も、好ましくは、パワーを回路４８に供給するためにハウジング２１によって収容される。ＲＦ回路という用語は相互に作用可能なＲＦトランシーバー回路を包含し得る。ＲＦトランシーバー回路は受信回路、送信回路およびパワー回路を含む。パワー回路は充電回路およびオーディオ回路を含む。オーディオ回路は同相回路および直交位相回路を含み、それらはそれぞれの同相回路、直交位相回路のためにそれぞれのパワー増幅器回路を含む。
【００３４】
ある側面では、オーディオ出力変換器４９（例えばスピーカー）がハウジング２１の上部４６に収容され、回路４８に接続される。キーパッド（キーボード）２３（図２）のような１つ以上の使用者入力インターフェイスデバイスも、好ましくは、ハウジング２１に収容され、ＲＦ回路４８に接続される。本明細書で用いられる場合、キーパッドという用語はキーボードという用語も指し、そのキーボードとは、文字および／または数字が記され一般に知られたキーを有する使用者入力デバイスを指しており、また、マルチトップまたは予測入力モードを含む他の実施形態を指している。使用者入力インターフェイスデバイスの他の例はスクロールホイール３７およびバックボタン３６を含む。もちろん、他の実施形態においては他の使用者入力インターフェイスデバイス（例えばスタイラスまたはタッチスクリーンインターフェイス）が用いられ得ることが理解される。
【００３５】
アンテナおよび関連付けられたアンテナ回路４５（図１）は、好ましくはハウジング内でサポートされ、ある側面では、ハウジングケース下方縁上におけるようなハウジング内の下部４７でサポートされる。アンテナは、アンテナ回路を作る伝導性トレースのパターンとして形成され得、物理的にアンテナを形成する。アンテナはメイン回路基板６７上の回路４８または他の基板上の他の回路に作用するように接続される。ある非限定的例において、アンテナは別個のアンテナ回路基板上に形成され得るか、またはハウジングの下部におけるメイン回路基板から延びているアンテナ回路基板セクション上に形成され得る。また、別個のキーボード回路基板は先述のように用いられ得る。他の回路基板は他のコンポーネントに対して用いられ得る。
【００３６】
より具体的には、使用者は典型的にはハウジング２１の上部を頭のすぐ近くに保持し、オーディオ出力変換器４９が直接耳に隣接するようにする。しかし、オーディオ入力変換器（つまりマイクロフォン）が配置されるハウジング２１の下部４７は使用者の口に直接隣接して置かれる必要はなく、使用者の口から離れて保持され得る。つまり、オーディオ入力変換器を使用者の口の近くに保持することは、使用者にとって不快であり得るだけでなく、いくつかの状況で使用者の声をひずませもし得る。
【００３７】
いくつかのデザインにおいて、アンテナ４５はハウジング２１の下部４７に近接して置かれ、使用者の手による妨害に起因したアンテナのパフォーマンスに対する影響をより少なくすることを可能にする。使用者は典型的には携帯電話を電話ハウジングの中部から上部へ向けて保持する。そのため、そのようなアンテナの方がハウジング２１の下部４７に近接して搭載されたアンテナよりも、使用者の手を覆いかぶせる確率が高い。したがって、より信頼のおけるパフォーマンスがアンテナ４５をハウジング２１の下部４７に近接して置くことにより達成され得る。
【００３８】
このタイプの構成の別の恩恵は、１つ以上の補助的入力／出力（Ｉ／Ｏ）デバイス５０をハウジングの上部４６に収容するためのより多くの空間を提供することである。さらに、アンテナ４５を補助的Ｉ／Ｏデバイス５０（単数または複数）から分けることで、その間の減少した混信を可能にし得る。
【００３９】
補助的Ｉ／Ｏデバイス５０のいくつかの例は、当業者には理解されるように、ＷＬＡＮ（例えばＢｌｕｅｔｏｏｔｈ（登録商標）、ＩＥＥＥ８０２．１１）コミュニケーション能力を提供するＷＬＡＮアンテナおよび／または位置場所能力を提供する衛星位置特定システム（例えばＧＰＳ、Ｇａｌｉｌｅｏなど）アンテナを含む。補助的Ｉ／Ｏデバイス５０の他の例は、第二オーディオ出力変換器（例えばスピーカーフォン操作のためのスピーカー）およびデジタルカメラ能力を提供するカメラレンズ、電気デバイスデバイスコネクター（例えばＵＳＢ、ヘッドフォン、Ｓｅｃｕｒｅ  Ｄｉｇｉｔａｌ（ＳＤ）カードまたはメモリーカードなど）を含む。
【００４０】
本明細書で用いられた場合、補助的Ｉ／Ｏデバイス５０（単数または複数）に対する「入力／出力」という用語は、そのようなデバイスが入力および／または出力能力を有し得ることを意味し、デバイスは全ての実施形態において両方を提供する必要はないことは注意されるべきである。つまり、カメラレンズのようなデバイスは例えば、光学的入力を受信し得るのみで、一方、ヘッドフォンジャックはオーディオ出力を提供し得るのみである。
【００４１】
デバイス２０はさらに例示的に、ディスプレイ２２、例えば、ハウジング２１に収容され回路４８に接続された液晶ディスプレイ（ＬＣＤ）を含む。バックボタン３６およびスクロールホイール３７も回路４８に接続され得、当業者に理解されるように、使用者がメニュー、テキストなどをナビゲートするのを可能にする。スクロールホイール３７は、いくつかの例において「親指ホイール」または「トラックホイール」とも呼ばれ得る。キーパッド２３は例示的に複数のマルチシンボルキー２４を含む。各キーは、その上に複数のそれぞれのシンボルの印を有する。キーパッド２３はまた、例示的にオルタネートファンクションキー２５、ネクストキー２６、スペースキー２７、シフトキー２８、リターン（またはエンター）キー２９およびバックスペース／デリートキー３０を含む。
【００４２】
ネクストキー２６はまた、まずオルタネートファンクションキー２５を押して、または作動させた後に、「＊」シンボルを入力するのに用いられる。同様に、スペースキー２７、シフトキー２８、バックスペースキー３０は、まずオルタネートファンクションキー２５を作動させた後に、それぞれ、「０」、「＃」を入力するのに用いられる。キーパッド２３はさらに例示的に、当業者に理解されるように、発信キー３１、終了キー３２およびコンビニエンス（つまりメニュー）キー３９を携帯電話をかける際の用途のために含む。
【００４３】
さらに、各キー２４のシンボルは上行および下行に配列される。下行のシンボルは使用者がキー２４を、まずオルタネートファンクションキー２５を押すことなしに押したとき、入力される。一方で、上行シンボルはまずオルタネートファンクションキーを押すことで入力される。図２に見られるように、マルチシンボルキー２４は発信キー３１および終了キー３２の下のキーパッド２３上の最初の３行に配列されている。さらに、キー２４の各々上の文字シンボルはＱＷＥＲＴＹレイアウトを定義するよう配列される。キーパッド２３上の文字は３行フォーマットで提示され、各行の文字は標準ＱＷＥＲＴＹキーパッドと同じ順序および相対的場所にある。
【００４４】
キー（ファンクションキー２５〜２９の第４の行を含む）の各行は、本非限定的例において５列に配列されている。第１の行、第２の行および第３の行の第２の列、第３の列および第４の列のマルチシンボルキー２４はその上にまずオルタネートファンクションキー２５を作動させることでアクセスできる数字印を有する（つまり１〜９）。ネクストキー２６、スペースキー２７およびシフトキー２８と一緒に、キーのこのセットは、当業者に理解されるように、伝統的なプッシュホン式電話で見つかるような、標準電話キーパッドレイアウトを定義する。ネクストキー２６、スペースキー２７、シフトキー２８は、上記のように、まずオルタネートファンクションキー２５を作動させた後で、それぞれ、「＊」、「０」、「＃」を入力する。
【００４５】
したがって、記載されるモバイルワイヤレスコミュニケーションデバイス２０は、好都合に、伝統的な携帯電話としてのみ用いられ得るのではなく、例えばインターネットおよびｅメールデータのようなセルラー方式または他のネットワークを介したデータの送信および／または受信のためにも便利よく用いられ得る。もちろん、他の実施形態においては他のキーパッド構成も用いられ得る。当業者に理解されるように、マルチタップまたは予測入力モードがｅメールなどをタイプするのに用いられ得る。
【００４６】
ある非限定的側面では、アンテナ４５は、好ましくは、マルチ周波数バンドアンテナとして形成され、複数の作動周波数に渡る強化された送信特性および受信特性を提供する。より具体的には、アンテナ４５は、高利得、所望のインピーダンス整合を提供するように、かつ、比較的広いバンド幅および複数のセルラー方式の周波数バンドに渡る、適用可能なＳＡＲ要件を満たすようデザインされている。例えば、アンテナ４５は他のバンド／周波数にも使用され得るが、非限定的な例においては、好ましくは、５つのバンド、つまり８５０ＭＨｚ  Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）バンド、９００ＭＨｚ  ＧＳＭバンド、ＤＣＳバンド、ＰＣＳバンド、ＷＣＤＭＡバンド（つまり約２１００ＭＨｚまで）に渡り作動する。二次元または平面の実施形態においてもアンテナ４５はインプリメントされ得るが、スペースを節約するため三次元において、便利にもインプリメントされ得る。ある非限定的例において、アンテナはＬ型に構成され、サポートケースの下部または縁に位置付けられる。
【００４７】
図１および図２に示されるモバイルワイヤレスコミュニケーションデバイスはｅメールおよびメッセージングアカウントを組み込み、ｅメール、ＰＩＮメッセージ、ＳＭＳメッセージを構成するなどの異なる機能を提供し得る。メッセージアイコンを選択することによって検索され得る適切なメニューを通してデバイスはメッセージを管理し得る。アドレス帳機能はコンタクトを追加し得、アドレス帳の管理を可能にし得、アドレス帳オプションをセットし得、ＳＩＭカード電話帳を管理し得る。電話メニューは、通話ログを管理すること、電話オプションをセットすること、および電話情報を見ることという異なる電話特性を用いた電話の発信および着信を可能にし得る。ブラウザアプリケーションは、ウェブページの閲覧、ブラウザの構成、ブックマークの追加、およびブラウザオプションの変更を許可し得る。他のアプリケーションはさまざまなレファレンスを有するハンドヘルドなオプションと並び、タスク、メモパッド、計算器、アラーム、およびゲームを含み得る。
【００４８】
ミーティングまたはアポイントメントのようなイベントを確立および管理するために用いられ得るカレンダープログラムに入るために、カレンダーアイコンが選ばれ得る。カレンダープログラムは、オーガナイザーが、例えばアポイントメントまたはミーティングのイベントを確立するのを可能にする任意のタイプのメッセージプログラムまたはアポイントメント／ミーティングプログラムであり得る。
【００４９】
図１および図２の例示的なモバイルワイヤレスコミュニケーションデバイス２０において用いられ得るさまざまな機能的コンポーネントの非限定的例は、図３を参照して下記の例においてさらに説明される。デバイス２０は例示的に、破線でアウトラインが示されるハウジング１２０、キーパッド１４０、および出力デバイス１６０を含む。示される出力デバイス１６０は、好ましくは、好ましくはフルグラフィックＬＣＤであるディスプレイである。他のタイプの出力デバイスが代替的に用いられ得る。マイクロプロセッサのような処理デバイス１８０はハウジング１２０内に含まれ、キーパッド１４０とディスプレイ１６０との間に結合される。処理デバイス１８０は、使用者によるキーパッド１４０上のキーの作動に応答して、ディスプレイ１６０の作動およびモバイルデバイス２０の全体の作動を制御する。
【００５０】
ハウジング１２０は垂直方向に細長であり得るか、または他のサイズおよび形状（クラムシェルハウジング構造を含む）を呈し得る。キーパッドはモード選択キーを含み得るか、またはテキスト入力と電話通信入力とを切り替えるための他のハードウェアまたはソフトウェアを含み得る。
【００５１】
処理デバイス１８０に加えて、モバイルデバイス２０の他の部分が概略的に図３で示される。これらは、コミュニケーションサブシステム１０１；短距離コミュニケーションサブシステム１０２；他の入力／出力デバイス１０６、１０８、１１０および１１２と並んでキーパッド１４０およびディスプレイ１６０；またメモリーデバイス１１６、１１８およびさまざまな他のデバイスサブシステム１２１を含む。モバイルデバイス２０は好ましくは、音声およびデータコミュニケーション能力を有する双方向ＲＦコミュニケーションデバイスである。加えて、モバイルデバイス２０は好ましくは、インターネットを介して他のコンピューターシステムとコミュニケーションする能力を有する。
【００５２】
処理デバイス１８０によって実行されるオペレーティングシステムソフトウェアは、好ましくはフラッシュメモリー１１６のような永続性記憶装置に格納されるが、ｒｅａｄ  ｏｎｌｙ  ｍｅｍｏｒｙ（ＲＯＭ）または類似の記憶要素のような他のタイプのメモリーデバイスに格納され得る。加えて、システムソフトウェア、特定のデバイスアプリケーション、またはそのパーツが、一時的にｒａｎｄｏｍ  ａｃｃｅｓｓ  ｍｅｍｏｒｙ（ＲＡＭ）１１８のような揮発性記憶装置にロードされ得る。モバイルデバイスにより受信されたコミュニケーション信号もＲＡＭ１１８に格納され得る。
【００５３】
処理デバイス１８０は、自身のオペレーティングシステム機能に加えて、デバイス２０上のソフトウェアアプリケーション１３０Ａ〜１３０Ｎの実行を可能にする。データおよび音声コミュニケーション１３０Ａおよび１３０Ｂのような基本的デバイス作動を制御する所定のセットのアプリケーションは、製造中に、デバイス２０上にインストールされ得る。加えて、ｐｅｒｓｏｎａｌ  ｉｎｆｏｒｍａｔｉｏｎ  ｍａｎａｇｅｒ（ＰＩＭ）アプリケーションは製造中にインストールされ得る。ＰＩＭは好ましくは、ｅメール、カレンダーイベント、ボイスメール、アポイントメントおよびタスク項目のようなデータ項目を編成および管理できる。ＰＩＭアプリケーションはまた、好ましくは、ワイヤレスネットワーク１４１を介してデータ項目を伝送および受信できる。好ましくは、ＰＩＭデータ項目は、ワイヤレスネットワーク１４１を介して、格納されたか、またはホストコンピューターシステムに関連付けられたデバイス使用者の対応するデータ項目にシームレスに統合、シンクロおよびアップデートされる。
【００５４】
データコミュニケーションおよび音声コミュニケーションを含むコミュニケーション機能はコミュニケーションサブシステム１０１、場合により短距離コミュニケーションサブシステムを通して実行される。コミュニケーションサブシステム１０１は受信器１５０、送信器１５２、ならびに１つ以上のアンテナ１５４および１５６を含む。加えて、コミュニケーションサブシステム１０１はまた、ｄｉｇｉｔａｌ  ｓｉｇｎａｌ  ｐｒｏｃｅｓｓｏｒ（ＤＳＰ）１５８およびｌｏｃａｌ  ｏｓｃｉｌｌａｔｏｒ（ＬＯ）１６１のような処理モジュールを含む。コミュニケーションサブシステム１０１の特定のデザインおよびインプリメンテーションは、モバイルデバイス２０が内部で作動するように意図されるコミュニケーションネットワークに依存する。例えば、ＭｏｂｉｔｅｘＴＭ、Ｄａｔａ  ＴＡＣＴＭまたはＧｅｎｅｒａｌ  Ｐａｃｋｅｔ  Ｒａｄｉｏ  Ｓｅｒｖｉｃｅ（ＧＰＲＳ）モバイルデータコミュニケーションネットワークと共に作動するようデザインされ、また、ＡＭＰＳ、ＴＤＭＡ、ＣＤＭＡ、ＰＣＳ、ＧＳＭなどのような多様な音声コミュニケーションネットワークのいずれかと共に作動するようデザインされたコミュニケーションサブシステム１０１をモバイルデバイス２０は含み得る。他のタイプのデータネットワークおよび音声ネットワークは、また、分離されたものと統合されたもの両方とも、モバイルデバイス２０と共に使用され得る。
【００５５】
ネットワークアクセス要件はコミュニケーションシステムのタイプに依存して変化する。例えば、ＭｏｂｉｔｅｘおよびＤａｔａＴＡＣネットワークにおいて、モバイルデバイスは、各デバイスに関連付けられた固有の個人識別番号、すなわちＰＩＮを用いてネットワーク上に登録される。しかし、ＧＰＲＳネットワークにおいて、ネットワークアクセスは加入者またはデバイスの使用者に関連付けられている。それゆえ、ＧＰＲＳデバイスは、ＧＰＲＳネットワーク上で作動するために、一般にＳＩＭカードと呼ばれる加入者認証モジュールを要求する。
【００５６】
所望のネットワーク登録または起動の処理手続きが完了すると、モバイルデバイス２０はコミュニケーションネットワーク１４１を介してコミュニケーション信号を伝送および受信し得る。コミュニケーションネットワーク１４１からアンテナ１５４によって受信された信号は受信器１５０にルーティングされ、受信器１５０は信号増幅、周波数下方変換、フィルタリング、チャンネル選択などを提供し、また、アナログ−デジタル変換を提供し得る。受信された信号のアナログ−デジタル変換は、ＤＳＰ１５８が、復調および暗号解読のようなより複雑なコミュニケーション機能を果たすのを可能にする。類似のやり方で、ネットワーク１４１に送信される信号はＤＳＰ１５８によって処理され（例えば、変調および暗号化される）、次いでデジタル−アナログ変換、周波数上方変換、フィルタリング、増幅、アンテナ１５６を介したコミュニケーションネットワーク１４１（単数または複数のネットワーク）への送信のため、送信器１５２に提供される。
【００５７】
コミュニケーション信号を処理することに加えて、ＤＳＰ１５８は受信器１５０および送信器１５２の制御を提供する。例えば、受信器１５０および送信器１５２のコミュニケーション信号に適用された利得は、ＤＳＰ１５８にインプリメントされた自動利得制御アルゴリズムを通して適応可能に制御され得る。
【００５８】
データコミュニケーションモードにおいて、テキストメッセージまたはダウンロードされたウェブページのような受信された信号はコミュニケーションサブシステム１０１によって処理され、処理デバイス１８０へ入力される。次いで、受信された信号はさらに処理デバイス１８０により処理され、ディスプレイ１６０または代替的にある他の補助的Ｉ／Ｏデバイス１０６への出力となる。デバイス使用者は、キーパッド１４０、および／または、タッチパッド、ロッカースイッチ、親指ホイールまたは他のタイプの入力デバイスのようなある他の補助的Ｉ／Ｏデバイス１０６を用いて、ｅメールメッセージのようなデータ項目を構成もし得る。構成されたデータ項目は、次いで、コミュニケーションサブシステム１０１を介したコミュニケーションネットワーク１４１を介して送信され得る。
【００５９】
音声コミュニケーションモードにおいて、デバイスの全体の作動は、受信された信号がスピーカー１１０に出力され、送信のための信号がマイクロフォン１１２によって生成されることを除いて、実質的にデータコミュニケーションモードに類似する。音声メッセージ記録サブシステムのような代替的な音声またはオーディオＩ／Ｏサブシステムもデバイス２０上にインプリメントされ得る。加えてディスプレイ１６０も音声コミュニケーションモードにおいて、例えば、通話パーティーの識別、音声通話の継続時間、または他の音声通話関連情報を表示するため使われ得る。
【００６０】
任意の短距離コミュニケーションサブシステムは、モバイルデバイス２０と他の最も近いシステムまたはデバイスとの間のコミュニケーションを可能にする。この他の最も近いシステムまたはデバイスは必ずしも類似のデバイスである必要はない。例えば、短距離コミュニケーションサブシステムは、赤外線デバイスおよび関連付けられた回路およびコンポーネント、またはＢｌｕｅｔｏｏｔｈＴＭコミュニケーションモジュールを含み得、同様に機能を付与されたシステムおよびデバイスとのコミュニケーションを提供する。
【００６１】
ここで図４を参照すると、通常の同相および直交位相（Ｉ／Ｑ）変調およびパワー増幅回路が一般的に３００で例示される。その回路は典型的には多くの異なるタイプのコミュニケーションデバイス、特に低パワーモバイルワイヤレスコミュニケーションデバイスで用いられる。回路３００は同相および直交位相変調および混合、およびパワー結合後、１つのパワー増幅器回路を有する。
【００６２】
図４は、この通常のＩ／Ｑ変調およびパワー増幅回路３００を示している。回路３００は、同相回路３０２、直交位相回路３０４に対して、それぞれ、同相入力（Ｉ）、直交位相入力（Ｑ）を有する。各回路は、例示されるように、それぞれ、デジタル−アナログ変換器（ＤＡＣ）３１０、３１２、低域フィルター３１４、３１６、混合器３１８、３２０を含む。局所発振器３３０は周波数ディバイダー３３２へのｌｏｃａｌ  ｏｓｃｉｌｌａｔｏｒ（ＬＯ）信号を生成し、周波数ディバイダー３３２は例示されるように、結果得られた分割された信号をそれぞれの混合器３１８、３２０へパスする。周波数ディバイダー３３２はＩ変調およびＱ変調のために＋４５および−４５位相／周波数調節を提供する。
【００６３】
混合器３１８、３２０からの出力はパワー結合器３４０で１つの信号に結合される（または合算される）。その信号は、次いで、それぞれの帯域フィルター３４２内で帯域フィルタリングされる。１つ以上のＲＦパワー増幅器は、パワー増幅器回路３５０を形成し、帯域フィルタリング後の信号を増幅する。増幅された信号は、次いで、低域フィルター３５２でフィルタリングされる。フィルタリングされた信号は、他の処理のためにさらなるＲＦ回路にパスされる。ＲＦ回路は、オーバージエア信号送信のための任意の送信器回路の一部としてのアンテナを含む。図４に示される変調およびパワー増幅回路３００はパワー増幅器（ＰＡ）回路３５０の線形性に関する問題を有し得、より柔軟なＩＱ変調スキームを要求する。８ＰＳＫ（ｐｈａｓｅ  ｓｈｉｆｔ  ｋｅｙｉｎｇ）、直交位相振幅変調（ＱＡＭ）およびいくつかの低パワーコミュニケーションデバイスにおいて典型な類似の変調スキームのためにパワー増幅器回路デザインが用いられたとき、このことは特に関連し得る。
【００６４】
この通常の回路３００もＴＲＰの質を落とすような脆弱なアンテナ適合を有し得、現在のパワー増幅器の欠点に起因して、効率を落とさせ得る。このことは、ラジオ周波数送信器のパフォーマンスおよびバッテリーの寿命の改善を難しくさせる。また、このタイプの通常の回路３００は、パワー増幅器のより高い非線形性に起因する調波に関する問題を有し得る。大きくパワーの強い基地局にあるようないくつかの非常に高パワーなＩ／Ｑ変調回路は複数のパワー増幅器を用い得る。この増幅器はアンテナに結合されたパワーであるが、フィードフォワード回路、フィードバック回路、ひずみのない回路、複雑な混合回路および複雑なパワー増幅器回路のような複雑な回路機能を典型的には組み込む。これらのタイプの解決方法は低パワーモバイルワイヤレスコミュニケーションデバイスにとって常に十分とはいえない。Ｉ／Ｑ変調のためのいくつかのコミュニケーション回路は並列した出力ステージを組み込む。これらは、任意のパワー増幅器回路において、より優れた線形性を得るよう大抵目標付けられている。この並列した出力ステージは、熱制御、増加したパワー出力、信号の質、ピークパワー改善および類似の側面のために用いられることがある。これら回路はまだ欠点に苦しみ得る。これら回路は上記で示したもの程は、低パワー適用にとって信頼がおけない、または適合されない場合もある。
【００６５】
図５はＩＱ変調およびパワー増幅回路４００のブロックダイアグラムである。パワー増幅回路４００は上記で識別された共同譲渡された同時係属の‘０４５出願に説明されている。パワー増幅回路４００はＩ／Ｑ信号入力および同相回路４０２および直交位相回路４０４を含み、各Ｉ／Ｑ回路４０２、４０４にそれぞれＤＡＣ４１０、４１２、ＬＰＦ４１４、４１６、混合器４１８、４２０の基本的なコンポーネントを含む。これらコンポーネントは図４で示されるコンポーネントに類似するが、各Ｉ／Ｑ回路４０２、４０４における変更の結果なされ得る修正を有し、下記で説明されるパワー増幅器回路を含む。図６、図７Ａおよび図７Ｂは、図５に関連して説明される回路への改善を説明する。図６、図７Ａおよび図７Ｂに示される回路の説明は、図５の回路の説明の後に続く。
【００６６】
図５に示されるように、各Ｉ／Ｑ回路４０２、４０４はパワー増幅器回路４５０ａ、４５０ｂを含み、パワー増幅器回路はそれぞれのＩ／Ｑ回路４０２、４０４における、それぞれのＩまたはＱ信号を増幅するためだけに用いられる。それぞれのパワー増幅器回路４５０ａ、４５０ｂは、それぞれの同相回路および直交位相回路４０２、４０４の各々に位置付けられる。局所発振器４３０および周波数ディバイダー回路４３２は図４の回路に類似し得るが、必要に応じて修正を有する。それぞれの混合器４１８、４２０内で混合された後、それぞれのＩおよびＱ信号が、それぞれの帯域フィルター４４２ａ、４４２ｂ内で各々帯域フィルタリングされる。次いで、それぞれのＩ信号およびＱ信号は、別個の同相信号および直交位相信号が、図４の回路におけるような結合された後ではなく、別々にパワー増幅されるよう、それぞれのパワー増幅器回路４５０ａ、４５０ｂによって各々パワー増幅される。その後、それぞれのＩ信号およびＱ信号がパワー結合器４６０内でパワー結合され、その結果の信号は低域フィルター４６２内でフィルタリングされる。
【００６７】
本非限定的例における本Ｉ／Ｑ変調およびパワー増幅回路４００は、２つの別個のパワー増幅器回路４５０ａ、４５０ｂを用い、図４に示されるような、結合の後位置付けられる、より通常の１つのパワー増幅器回路と比較すると、３ｄＢの出力パワーが小さい。この結果、パワー増幅器回路のより優れた線形性が生じる。一方で、３ｄＢパワー結合器４６０を通して、非限定的例と同じ出力パワーをなお維持する。パワー結合器４６０は出力を入力から分離し、回路４００は脆弱なアンテナ適合が直接パワー増幅器およびラジオ周波数（ＲＦ）のパフォーマンスに影響を与えることを防ぎ得る。各Ｉ／Ｑ回路４０２、４０４のため説明されるような、より高いおよびより効率の良いパワー増幅器回路４５０ａ、４５０ｂにより、より長いバッテリー寿命を確保することが可能である。より線形なパワー増幅器を用いることが可能なため、パワー増幅器出力からの調波放出がより少ない。
【００６８】
ＩＱ変調は図５に示される回路で達成される。しかし、デジタル振幅変調、周波数変調および位相変調も、効率的な方法で達成される。所望の出力パワー、例えば３３ｄＢｍより大きなパワーを達成するため、モバイルワイヤレスコミュニケーションデバイスに関連付けられるような、より小さなパワー増幅器回路を用いることに起因して、より優れた線形性およびパワーが追加された効率が生じる。このタイプのＩ／Ｑ変調およびパワー増幅回路４００は、類似のハードウェアアーキテクチャを有する異なる変調スキームに対して、より柔軟なデジタル変調を可能にする。それぞれのパワー増幅器回路４５０ａ、４５０ｂの使用に起因して、４７０のラインで示されるような１つのトランシーバーチップ上に回路４００をインプリメントすることも可能であり、図４に示されるような通常の１つのパワー増幅器回路３５０よりも３ｄＢ小さいＲＦパワーを送信する。図５に示されるＩＱ変調およびパワー増幅回路４００は非限定的例として、直交位相ハイブリッドパワー結合器のような３ｄＢパワー結合器４６０を含み、より良い出力パワーおよびモバイルアンテナインピーダンス変化を免れるためのより簡単なパワー増幅器適合性を提供する。パワー結合器４６０は、また、偶数次の送信調波でさえもキャンセルを可能にする。このことは、今度は、任意の調波フィルターデザインを、より少ない挿入損失および関連付けられたファクターでもって、より簡単にする。
【００６９】
非限定的例としての直交位相ハイブリッドパワー結合器４６０は異なる技術を用いて形成され得る。直交位相ハイブリッドパワー結合器４６０は、典型的には２つの、通常は等しい振幅、直交位相ずらした入力信号を結合して１つの出力信号を生成する。結合器は集中定数素子回路、ストリップライン回路またはその他の回路を用い得る。ストリップライン回路は、低損失または高出力または両方を要求する適用において用いられ得る。典型的には、基本回路素子は３ｄＢの四分の一波長連結器であり、４つのポートネットワークとして形成される。第一ポートに適用された信号は、第二ポートと第三ポートの間で等しく分割され得る。その出力の１つは相対的に９０度の位相シフトを有する。第二ポートおよび第三ポートがマッチングインピーダンスに終端されるとき、第一ポートに適用された信号は典型的には第二ポートおよび第三ポートに接続された機器に送信され、第四ポートは微弱なパワーを受信し、「孤立」する。第二ポートにおけるインピーダンスの不整合は、第二ポートから戻されるある信号パワーを反映し得、第一ポートと第四ポート間で比例して分割される。例え出力ポート間の関係が９０度で維持されていても、相対的入力／出力位相合せを変えることもまた可能である。１つ以上のトロイダルコアを有する集中定数素子構造を形成することは可能であり得る。集中定数素子デザインにおいて典型的に、挿入損失はネットワークで用いられる異なるコンポーネントのＱ値に関連する。しかし、ストリップラインコンポーネントにおいては、挿入損失が、導体の抵抗および入力／出力ポートの不整合損失および指向性損失から生じ得る。より厚い導体はその損失のいく分かを減らし得る。
【００７０】
図５に示されるＩ／Ｑ変調およびパワー増幅回路４００は、図４に示されるこのタイプの回路３００に関連付けられた技術的欠点および問題を克服する。図４では、パワー結合の後、１つだけパワー増幅器回路３５０が用いられ、特に、ＧＳＭ／ＧＰＲＳ／ＥＤＧＥシステムのためのパワー増幅器デザインが用いられ、ＧＭＳＫおよび８ＰＳＫの両方を達成する。異なるＲＦトランシーバーシステムは、ＩＱ変調のデジタル周波数および位相変調のための異なるトランシーバーアーキテクチャを有する。
【００７１】
Ｉ回路およびＱ回路４０２、４０４の各々における、それぞれのパワー増幅器回路４５０ａ、４５０ｂを有する図５のＩ／Ｑ変調およびパワー増幅回路４００は、開いたループシステム、または、より大きなまたはより小さな閉じたループシステムのどちらか一方を用いるときですら、任意のパワー増幅器ドライバーおよび／またはパワー増幅器バイアスに対してより大きな制御を可能にする。コントローラー４８０ａ、４８０ｂ（またはどちらか一方のコントローラー）は、それぞれパワー増幅器回路４５０ａ、４５０ｂと共に作用し、利得およびその他のファクターを制御する。コントローラー４８０ａ、４８０ｂは開いたループ制御または閉じたループ制御であり得る（各回路において破線のフィードバックラインによって示される）。図５に示されるＩ／Ｑ変調およびパワー増幅回路４００は、パワー増幅器デザインの線形／高効率／高出力要件を有するＩＱ変調スキームを統一し、異なるタイプの、例えばＡＭ、ＦＭおよびＰＭのデジタル変調が満たされ得る。また、図５に示される二つのそれぞれのパワー増幅器回路４５０ａ、４５０ｂが較正され得、低調波およびアンテナロードに対するより低い感度を有する高線形／効率／パワー増幅器デザインが達成される。
【００７２】
ある非制限的側面では、パワー結合器４６０は、前記の通り３ｄＢ直交位相ハイブリッド結合器として作用する。説明されたこの回路デザインを用いて、２つのパワー増幅器回路４５０ａ、４５０ｂが、たった３０ｄＢｍ（１ｗａｔｔ）出力パワーで用いられ得、３３ｄＢｍが達成される。パワー結合器４６０に起因する損失は約０．２ｄＢから約０．３ｄＢであり得る。それらはシャープな低域フィルター４６２を用いて処理され得、パワー増幅器の第三調波を押し下げる。そのため、３０ｄＢｍ出力を有するパワー増幅器回路４５０ａ、４５０ｂが確立されて、３３ｄＢｍ出力を達成し得ることが可能である。典型的には、３ｄＢ直交位相ハイブリッドパワー結合器４６０を用いて、アンテナ整合をパワー増幅器整合から孤立させ、より良いＴＲＰを得ることが可能である。結果として、アンテナデザインは、説明されたようなパワー結合器を組み込むために、１つ以上のフィードポートを要求しない。
【００７３】
直交位相ハイブリッドパワー結合器４６０は、アンテナロードインピーダンスの不整合を許容し得ることは理解されるべきである。また、直交位相ハイブリッドは、位相および周波数変調に対し、より大きな反射性を生じさせる。そのため、効率的な振幅変調が、同相および直交位相回路４０２、４０４の各々のパワー増幅器回路４５０ａ、４５０ｂのバイアスを変えることで生じ得る。効率的な振幅変調は、回路機能におけるより大きな柔軟性を生じさせ得る。
【００７４】
図６、図７Ａおよび図７Ｂは、図５で示されるＩ／Ｑ変調およびパワー増幅回路に対する改善を示す。線形性が、図５に示される各ＩおよびＱパワー増幅器に対して改善されている。また、ＩおよびＱ振幅および位相不均衡問題が改善され、異なるＲＦ出力パワーレベルを有するＩおよびＱパワー増幅器の効率性の問題が強化される。前述の通り、図５で示される回路はコントローラー４８０ａ、４８０ｂを含み、それらコントローラーはフィードバックループを、例えばプレディストーションの目的のために、制御する。図６、図７Ａおよび図７Ｂで示される回路は、マイクロプロセッサおよび帯域プロセッサ５３０として示されるコントローラーがどのように構成され得るかに対するより高い効率を提供し、回路を用いて、より良い制御をもたらす。一方で、図６、図７Ａおよび図７Ｂで示される回路は、また、より良い電流のセンサーおよび制御されたパワー供給を提供する。これらコンポーネントを説明するとき、参照数字は５００のシリーズで始まる。
【００７５】
ダブルＩ／Ｑ変調スキームが図６に描写される。パワー増幅器からの信号が、より良くより効率的な方法で結合する。ダブルＩ＿Ｑ変調器システムが、描写されるように、複雑なＩおよびＱ係数の使用と共に用いられ、信号入力として示されるＩ＿Ｉ、Ｉ＿Ｑ、Ｑ＿ＩおよびＱ＿Ｑ信号コンポーネントを形成する。数学的な関数が描写される。Ｑ＿Ｑ信号コンポーネントは回路５０１によって１８０度反転させられる。各信号はそれぞれの低域フィルター５０２ａ〜ｄを通り、混合器５０４ａ〜ｄへパスされる。回路はそれぞれの同相変調器および混合器回路および直交位相変調器および混合器回路を形成し、それぞれのＱ＿Ｉ混合器、Ｑ＿Ｑ混合器、Ｉ＿ＩおよびＩ＿Ｑ混合器を形成する。ｌｏｃａｌ  ｏｓｃｉｌｌａｔｏｒ（ＬＯ）５０３としての周波数生成器から生成されたサイン信号は、９０度周波数ディバイダー回路５０５ａ、５０５ｂをパスし、描写されるように、それぞれのＩ＿Ｉ、Ｉ＿Ｑ、Ｑ＿ＩおよびＱ＿Ｑ信号の各々に対してコサインおよびサイン関数の９０度位相シフトを加える。混合の後、それぞれの信号はそれぞれのＩおよびＱ合算器５０６ａ、５０６ｂへパスされ、それぞれのＩおよびＱ帯域フィルター５１０ａ、５１０ｂを通り、それぞれのＩおよびＱパワー増幅器５１２ａ、５１２ｂへパスされる。パワー増幅器５１２ａ、５１２ｂからの信号出力は各々、それぞれのＩおよびＱパワー増幅器整合回路５１４ａ、５１４ｂを通り、３ｄＢ直交位相結合器５２０で結合される。信号の適切な結合が生じ得ることを示す数学的処理が描写される。
【００７６】
図６のダブルＩ／Ｑ変調器回路は図７Ａおよび図７Ｂにおいて一般的に５００で示される。５００は、一般的に５２５で示されるＩおよびＱ変調およびパワー増幅回路を形成するより大きな回路の一部である。５００は、Ｉ＿Ｉ、Ｉ＿Ｑ、Ｑ＿ＩおよびＱ＿Ｑ信号を、一般的に５３０で示されるマイクロプロセッサおよびベースバンドプロセッサからのデジタルベースバンド信号（ＩおよびＱ信号）として受信する。このマイクロプロセッサおよびベースバンドプロセッサはコントローラーの役割も果たし、本明細書ではプロセッサまたはコントローラーとも呼ばれる。図７Ａおよび図７Ｂで示される回路は、それぞれのＩおよびＱ切り替えパワー供給部５３２ａ、５３２ｂを、ＰＡ＿ＩおよびＰＡ＿Ｑとも識別されるＩおよびＱパワー増幅器５１２ａ、５１２ｂの各々に対して含む。直交位相３ｄＢ結合器５２０からの出力は指向性連結器５３６に出力され、信号は低域フィルター５３８およびコネクター５４０を通して出力される。コネクター５４０は、現在検討中の非制限的例において、５０オームコネクターである。信号はコネクター５４０からアンテナ整合回路５４２へパスされ、アンテナ５４４を通して信号出力として送信される。
【００７７】
さまざまな制御信号のような信号は、切り替えパワー供給部５３２ａ、５３２ｂに受信され、他の信号は、例えばＩ＿ＩおよびＱ＿Ｉセンサー信号としてプロセッサ５３０にフィードバックされる。切り替えパワー供給部回路５３２ａ、５３２ｂは、さまざまな振幅、センサーおよびその他の関連信号を、描写されるようにプロセッサ５３０から受信する。
【００７８】
プロセッサ５３０からのＩ＿Ｉ、Ｉ＿Ｑ、Ｑ＿ＩおよびＱ＿Ｑ信号の各々が、デジタル信号として生成され、それぞれの低域フィルター５０２ａ〜ｄをパスする前に、それぞれのデジタル−アナログ変換器５５０をパスすることは理解されるべきである。ＩおよびＱ信号に対するバイアス信号はプロセッサ５３０から生成され、各々はデジタル−アナログ変換器（ＤＡＣ）５５２ａ、５５２ｂを通って、それぞれのＩおよびＱパワー増幅器５１２ａ、５１２ｂへパスされ、増幅器に対するバイアス制御を提供する。パワー検知信号は指向性連結器５３６から抵抗器ＲおよびＲ−ｄｅｔを介してパワー検知器回路５５６に受信され、アナログ−デジタル変換器（ＡＤＣ）５５８をパスして、プロセッサ５３０に受信される。パワー増幅器整合回路５１４ａ、５１４ｂからの信号は、それぞれのＩおよびＱ復調器回路５７０ａ、５７０ｂに対する低域フィルター５６０ａ、５６０ｂに受信される。ＩおよびＱ復調器回路５７０ａ、５７０ｂは、各々適切な混合器５７２、位相シフターおよび周波数ディバイダー５７４および低域フィルター５７６およびアナログ−デジタル変換器（ＡＤＣ）５７８をＩおよびＱ復調器回路５７０ａ、５７０ｂの各々に対して含む。信号出力はＩ＿ＩＦ信号、Ｉ＿ＱＦ信号、Ｑ＿ＩＦ信号およびＱ＿ＱＦ信号を含む。指向性連結器５３６からの信号もＲ＿ＩＱ抵抗器を通り、低域フィルター５８０を通って、描写される別のＩＱ復調器５８２にパスされる。復調器５８２は、混合器５８４、周波数ディバイダー５８６、低域フィルター５８８およびＡＤＣ５９０を含む。
【００７９】
動作中、非常に小さい部分（約−３０ｄＢまたは０．１％）がＩ＿ＰＡ（５１２ａ）出力から取得される（同じことがＱ＿ＰＡ（５１２ｂ）出力でなされ、Ｉ信号は例として説明される）。信号は低域フィルター５６０ａをパスし、ＩＱ復調器、この例ではＩ復調器５７０ａを介して復調される。復調されたＩおよびＱベースバンド信号はそれぞれの回路５７６、５７８で低域フィルタリングおよびアナログ−デジタル変換される。これら復調されたデジタルＩおよびＱ信号は、Ｉ／Ｑ変調器５００に対するオリジナルのＩベースバンドデジタル出力信号のデジタルＩおよびＱ部と比較される。振幅、周波数および位相変調エラーが検知される。エラーメッセージを分析した後、適切なデジタル調節が、この例ではＩデジタル出力信号上でなされる。また、Ｉ＿ＰＡパワー増幅器５１２ａの線形性を改善するための適切な調節が、Ｉ＿ＰＡバイアス制御（Ｂｉａｓ＿Ｉ）へのＩ＿ａｍ（振幅）信号を介してなされ得る。さらに振幅変調の調節も、Ｉ＿ＰＡパワー供給電圧５３２ａへのプロセッサからのＩ＿ＡＭＰ信号を介してなされ得る。Ｑ側については、同じことが達成され得る。
【００８０】
最適および均衡がとれたＩＱ変調ＰＡ出力信号を達成するために、約２０ｄＢ結合ファクターを有する指向性連結器５１８が、３ｄＢ直交位相出力で、直交位相結合器５２０から加えられる。抵抗器Ｒを介する連結された信号は２つの部分に分割される。信号の１つの部分は、Ｒ＿ｄｅｔ抵抗器を介して、パワー検知器回路５５６の入力に整合される。検知器５５６のアナログ出力はＡＤＣによって５５８デジタル信号にＡ／Ｄ変換され、オリジナルのＶｒａｍｐ［＝（Ｉ＿ａｍ＋Ｑ＿ａｍ）／２］と比較される。エラーは、Ｉ＿ａｍおよびＱ＿ａｍ（振幅）信号をプレディストーションすることにより訂正され、振幅エラーを補正する。信号の別の部分は、抵抗器Ｒ＿ＩＱを介して低域フィルター（ＬＰＦ）５８０の入力に整合される。低域フィルター５８０は、送信された周波数の調波を取り除く。フィルタリングされた信号は、第三ＩＱ復調器５８２によって復調される。出力としてのＩＱ＿ＩＦおよびＩＱ＿ＱＦ信号は復調されたデジタルＩおよびＱ信号を表す。これらの信号はプロセッサ５３０によって、オリジナルのデジタル信号ＩおよびＱと比較される。振幅、位相および周波数エラーが検知される。これらエラーは、Ｄ／Ａ変換器５５０、ＩＱ変調器にそれぞれフィードされる前に、デジタルＩおよびＱ信号をプレディストーションすることにより訂正される。これは、もちろん、フィードフォワードプロセスに対応する。
【００８１】
先述の通り、通常のＰＡ解決を置き換えるためにＩおよびＱ  ＰＡの５１２ａ、５１２ｂを用いることにより、切り替えパワー供給部５３２ａ、５３２ｂがＩおよびＱ  ＰＡの５１２ａ、５１２ｂに対してそれぞれ用いられる。ＩまたはＱ  ＰＡの５１２ａ、５１２ｂは電流の約半分を消費し、システムが市販の入手可能な切り替えパワー供給部５３２ａ、５３２ｂを用いることを可能にする。ＩおよびＱ  ＰＡの５１２ａ、５１２ｂはプロセッサ５３０からのＴＸ＿ＥＮ信号により制御され、増幅器をオンにする。両増幅器に対する供給電圧は、送信されたパワーに対してプロセッサ５３０からのＴＸ＿ＰＣＬ信号によりセットされる。出力パワーが高くなるにつれ（つまり、ＰＣＬレベルが高くなるにつれ）、供給電圧が高くなり、供給電圧は増幅器のバイアスセッティングに対するＩ＿ａｍおよびＱ＿ａｍにまた対応する。増幅器のバイアスおよび供給電圧の両方を調節することにより、システムは増幅器を、最もＤＣパワーの効率の良い動作状態におく。ＩおよびＱパワー供給部からプロセッサに受信されたＩ＿Ｉ＿センサーおよびＱ＿Ｉ＿センサー信号は、増幅器のより良いバイアス制御のため、増幅器への電流の流れをそれぞれ監視するのにまた用いられる。パワー供給部へ戻されるＩ＿ＡＭＰおよびＱ＿ＡＭＰ信号は、（１）アナログおよび／またはデジタル振幅変調と、（２）パワー増幅器の線形化に対するプレディストーションと、（３）より良い増幅器のダイナミックレンジに対して各バースト間の供給電圧をダイナミックに調節することとのために用いられ得る。ＴＸ＿ＳＴＢＹ信号は、次の即座の送信に備えるために、切り替えパワー供給部をスタンバイモードに保つのに用いられる。
【００８２】
ここで図８Ａを参照すると、ダブルＩ／Ｑ変調器回路５００’の別の実施形態がここで説明される。ダブルＩ／Ｑ変調器回路５００’の本実施形態において、図７Ａおよび図７Ｂに対して既に上記で述べたそれらの要素はプライム表記が与えられ、ほとんどは本明細書でさらなる議論を要求しない。本実施形態は、ダブルＩ／Ｑ変調器回路５００’のプロセッサ５３０’が、Ｉ信号入力とＱ信号入力との間のデジタルベースバンドＩ信号６０１ａ’〜６０１ｂ’およびデジタルベースバンドＱ信号６０１ｃ’〜６０１ｄ’を選択的に切り替えるよう例示的に構成されるＩＱダイバーシティスイッチアレイ６００’をさらに含む点で、先述の実施形態と異なる。ＩＱダイバーシティスイッチアレイ６００’は、入力信号Ｉ＿Ｉ６０１ａ’およびＱ＿Ｑ６０１ｄ’を選択的に位相シフトするための１８０度位相シフター６０２ａ’〜６０２ｂ’のペアを例示的に含む。言い換えれば、入力信号Ｉ＿Ｉ６０１ａ’およびＱ＿Ｑ６０１ｄ’は大きさが反転する。
【００８３】
また、本実施形態において、直交位相結合器／分割器５２０’は、図７Ａ〜図７Ｂの実施形態におけるような抵抗器を介したアースに連結されたポートを有さない。これとは異なり、このダブルＩ／Ｑ変調器回路５００’は、直交位相結合器／分割器５２０’の下流で逐次的に、指向性連結器５３６ａ’〜５３６ｂ’のペア、低域フィルター５３８ａ’〜５３８ｂ’のペア、コネクター５４０ａ’〜５４０ｂ’のペア、アンテナ整合回路５４２ａ’〜５４２ｂ’のペアおよびアンテナアレイ５４４ａ’〜５４４ｂ’のペアを、例示的に含む。アンテナアレイ５４４ａ’〜５４４ｂ’のペアとして例示されるが、他の実施形態（示されていない）において、ダブルＩ／Ｑ変調器回路５００’は代替的または追加的に、複数の異なるフィードポイントを有する少なくとも１つのアンテナを含み得る。当業者に理解されるように、デジタルベースバンドＩ信号６０１ａ’〜６０１ｂ’およびデジタルベースバンドＱ信号６０１ｃ’〜６０１ｄ’を位相シフター６０２ａ’〜６２０ｂ’へ選択的に切り替えることに依存して、直交位相結合器／分割器５２０’の出力ポートにおける信号は、選択的に相殺され、所望のアンテナ５４４ａ’〜５４４ｂ’に適用される。
【００８４】
ここで図８Ｂを追加的に参照して、ダブルＩ／Ｑ変調器回路５００’の数学的証明がここで説明される。示されるように、ＩＱダイバーシティスイッチアレイ６００’の選択的切り替えに依存して、直交位相結合器／分割器５２０’の出力ポート（１、４）における信号の位相シフトが調節される。例示される数学的証明は位相切り替えを２つのケースに分ける：ケース＃１およびケース＃２。ケース＃１では、増幅されたＩＱ信号は上記詳細な実施形態（図７Ａ〜図７Ｂ）と同じである。結合されたＩＱパワー増幅器出力は直交位相結合器／分割器５２０’のポート＃１へ行き、次いで低域フィルター５３８ｂ’およびアンテナ整合ネットワーク５４２ｂ’を通ってアンテナ＃１  ５４４ｂ’へ行く。ポート＃４において信号はなく（相殺されている）、アンテナ＃２  ５４４ａ’は低域フィルター５３８ａ’およびアンテナ整合ネットワーク５４２ａ’を介して適切な５０オーム終端を提供する。ケース＃２では、ＩＱ信号の位相はそれぞれ切り替えられる。結合されたＩＱパワー増幅器出力は直交位相パワー結合器／分割器５２０’のポート＃４へ行き、次いで低域フィルター５３８ａ’およびアンテナ整合ネットワーク５４２ａ’を通ってアンテナ＃２  ５４４ａ’へ行く。ポート＃１において信号はなく（相殺されている）、アンテナ＃１  ５４４ｂ’は低域フィルター５３８ｂ’およびアンテナ整合ネットワーク５４２ｂ’を介して適切な５０オーム終端を提供する。言い換えると、プロセッサ５３０’の選択的切り替えに依存して、放送された信号は、先行技術の典型的なアナログスイッチなしに、アンテナ＃１  ５４４ａ’またはアンテナ＃２  ５４４ｂ’のどちらかに向けられ得る。
【００８５】
好都合に、ダブルＩ／Ｑ変調器回路５００’は現代ワイヤレス高速ｍｕｌｔｉｐｌｅ−ｉｎｐｕｔ  ｍｕｌｔｉｐｌｅ−ｏｕｔｐｕｔ（ＭＩＭＯ）モバイルコミュニケーションシステムにおける送信ダイバーシティ問題に対処し得る。ダブルＩ／Ｑ変調器回路５００’はＲＦ挿入損失と、送信ダイバーシティに対する追加のＲＦスイッチの必要性に起因するＰＣＢスペースにおけるコストとを低減し得る。さらに、ＩＱダイバーシティスイッチアレイ６００’を用いることにより、ダブルＩ／Ｑ変調器回路５００’はデジタルベースバンドにおける（Ｉ＿Ｉ、Ｉ＿Ｑ）および（Ｑ＿Ｉ、Ｑ＿Ｑ）信号の位相を切り替え得る。それにより、先行技術の下流アナログスイッチなしに、送信ダイバーシティに対する２つのアンテナ５４４ａ’〜５４４ｂ’の切り替えを提供する。
【００８６】
加えて、ダブルＩ／Ｑ変調器回路５００’は、パワー増幅器出力におけるＲＦスイッチを取り除くことに起因して、約０．５〜１．０ｄＢの追加のＲＦ損失を減らし得、伝統的な送信ダイバーシティと比較して有意に効率性を上げる。ダブルＩ／Ｑ変調器回路５００’はまた、典型的な下流ＲＦスイッチおよびＰＣＢスペースの追加のコストを誘発することなく、送信ダイバーシティを提供し得る。
【００８７】
ここで図９を参照して、ダブルＩ／Ｑ変調器回路５００”の別の実施形態の数学的証明がここで説明される。ダブルＩ／Ｑ変調器回路５００”の本実施形態において、図７Ａ、図７Ｂおよび図８に対して既に上記で述べられたそれら要素はダブルプライム表記が与えられ、ほとんどは本明細書ではさらなる議論は要求しない。本実施形態は、プロセッサ５３０”がダイバーシティスイッチアレイを含まないという点で以前の実施形態と異なる。それとは異なり、プロセッサ５３０”は、デジタルベースバンドＩ信号およびＱ信号の各々を選択的に位相シフトする。特に、プロセッサ５３０”はＱ＿Ｉデジタルベースバンド信号およびＱ＿Ｑデジタルデータ信号のベータ（β）およびＩ＿Ｉデジタルベースバンド信号およびＩ＿Ｑデジタルベースバンド信号のアルファ（α）を調節し得る。言い換えると、プロセッサ５３０”は個別のベースバンド信号を任意の所望の量だけ別個に位相シフトし得る。これらの調節をすることにより、プロセッサ５３０”は、例えば放送のための対応するアンテナ５４４ａ”〜５４４ｂ”にフィードされた信号の大きさおよび位相を制御することにより、直交位相結合器／分割器５２０”の出力ポート（１、４）における信号に対して多目的な制御を及ぼし得る。
【００８８】
直交位相結合器／分割器５２０”の出力ポート（１、４）におけるＲＦ信号の大きさおよび位相の単純な数値計算が下記の表１に提示される。表１に提示される値は、０度から１８０度まで４５度ずつ増加したアルファと、０度または９０度のどちらかであるベータとを表している。表１から理解され得るように、出力ポート（１、４）における２つのＲＦ信号の大きさおよび位相は、デジタルベースバンド信号に対するアルファおよびベータの選択的調節と共に変わる。しかし、直交位相結合器／分割器５２０”の出力ポート（１、４）における各信号に対する位相は、同じ程度に変わる。
【００８９】
本実施形態は好都合であり、図８Ａおよび図８Ｂの前記実施形態におけるケース１およびケース２の同じアンテナダイバーシティ配列を繰り返し得る。図８Ａおよび図８Ｂでは、アルファ＝０°およびベータ＝０°のときケース１が提供され、アルファ＝９０°およびベータ＝−９０°のときケース２が提供される。各ケースは陰影がつけられて示されている。
【００９０】
【表１】
2011229148.tif 000003
ここで図１０を参照して、ダブルＩ／Ｑ変調器回路５００’’’の別の実施形態の数学的証明がここで説明される。ダブルＩ／Ｑ変調器回路５００’’’の本実施形態において、図９に対して既に上記で述べられたそれらの要素は、トリプルプライム表記が与えられ、ほとんどは本明細書でさらなる議論を要求しない。ＩおよびＱパワー増幅器５１２ａ’’’〜５１２ｂ’’’から出力されたＲＦ  Ｉ信号およびＱ信号の大きさも、それぞれ操作され得るという点で、本実施形態は、以前の実施形態と異なる。当業者に理解されるように、ＲＦ  Ｉ信号およびＱ信号の大きさの操作は、例えば選択的増幅器利得調節、増幅器バイアスおよびパワー供給調節を用いることと、プリアンプ信号レベル（恐らくデジタルドメインで）を調節することとによって達成され得る。
【００９１】
直交位相結合器／分割器５２０’’’の出力ポート（１、４）におけるＲＦ信号の大きさと位相の別の数値計算が下記の表２で示される。理解されるように、大きさ、つまり“Ｉ”および“Ｑ”をアルファおよびベータと一緒に変化させることにより、出力ポート（１、４）におけるＲＦ信号の大きさおよび位相は独立に調節され得る。
【００９２】
また、本実施形態は好都合であり、図８Ａおよび図８Ｂの前記実施形態におけるケース１およびケース２の同じアンテナダイバーシティ配列を繰り返し得る。図８Ａおよび図８Ｂでは、アルファ＝０°、ベータ＝０°、Ｉ＝１．００およびＱ＝１．００のときケース１が提供され、アルファ＝９０°、ベータ＝−９０°、Ｉ＝１．００およびＱ＝１．００のときケース２が提供され、各ケースは陰影がつけられて示されている。言い換えると、ダブルＩ／Ｑ変調器回路５００’’’は、それぞれの信号の大きさをゼロにし得、どちらかのアンテナへ移動してアンテナダイバーシティを提供し得る点と、それぞれの信号の位相も選択的に変更されビームフォーミングを提供し得る点で、直交位相結合器／分割器５２０’’’の出力ポート（１、４）における信号に対して、完全な柔軟性を有する。さらに、直交位相結合器／分割器５２０’’’の出力ポート（１、４）のそれぞれの信号の大きさおよび位相は独立および別個に制御され得る。
【００９３】
【表２−１】
2011229148.tif 000004
【００９４】
【表２−２】
2011229148.tif 000005
前述の説明および関連付けられた図に提示された教示の利益を有する当業者は、多くの改変と他の実施形態を思いつく。それゆえ、さまざまな改変および実施形態は添付の請求項の範囲に含まれることが意図されていることが理解される。
【図１】
2011229148.tif 000006
【図２】
2011229148.tif 000007
【図３】
2011229148.tif 000008
【図４】
2011229148.tif 000009
【図５】
2011229148.tif 000010
【図６】
2011229148.tif 000011
【図７Ａ】
2011229148.tif 000012
【図７Ｂ】
2011229148.tif 000013
【図８−１】
2011229148.tif 000014
【図８−２】
2011229148.tif 000015
【図８−３】
2011229148.tif 000016
【図９】
2011229148.tif 000017
【図１０】
2011229148.tif 000018
【外国語明細書】
2011229148000001.pdf